(57)【要約】      （修正有）【課題】後方互換性を考慮したサブキャリアの再チャネル化方法を提供する。【解決手段】レガシーチャネル中心周波数を使用して８０２．１１ａｙフレームの第１の部分を受信する。フレームの第１の部分は、Ｌ−ＳＴＦと、Ｌ−ＣＥＦと、Ｌ−ヘッダと、ＥＤＭＧヘッダが含まれている。次いで、再定義されたチャネル中心周波数およびサブキャリア周波数を使用して８０２．１１ａｙフレームの第２の部分を受信するために、周波数シフトを実行する。フレームの第２の部分は、ＥＤＭＧ  ＳＴＦと、ＥＤＭＧ  ＣＥＦと、データペイロードとを含まれており、矩形によって表される各チャネルの中心周波数におけるサブキャリアは、卵形によって表される各チャネルの他のサブキャリアにおいて、必要とされる周波数シフトを小さくする。【選択図】図１３
2020039132.tif 000002
【特許請求の範囲】
【請求項１】
ワイヤレス通信のための方法であって、
第１の部分と第２の部分とを備えるフレームを生成することと、
少なくとも１つのチャネル上での送信のために前記フレームの前記第１の部分を出力することと、
前記少なくとも１つのチャネルの中心周波数をシフトすることと、
前記中心周波数シフトの後に前記少なくとも１つのチャネル上での送信のために前記フレームの前記第２の部分を出力することと
を備える、方法。
【請求項２】
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、請求項１に記載の方法。
【請求項３】
前記フレームの前記第１の部分が、シングルキャリア（ＳＣ）送信モードを使用する送信のために出力され、前記フレームの前記第２の部分が、直交周波数分割多重（ＯＦＤＭ）送信モードを使用する送信のために出力される、請求項１に記載の方法。
【請求項４】
前記中心周波数シフトがマイナス２．５８ＭＨｚからプラス２．５８ＭＨｚの間である、請求項１に記載の方法。
【請求項５】
前記少なくとも１つのチャネルが複数のチャネルを備え、前記複数のチャネルの各々がそれぞれの中心周波数を有し、
前記少なくとも１つのチャネルの前記中心周波数をシフトすることが、前記複数のチャネルのうちの１つまたは複数の各々の前記中心周波数をシフトすることを備える、
請求項１に記載の方法。
【請求項６】
前記中心周波数シフトの後に、前記複数のチャネルの各々の前記中心周波数が周波数グリッドの複数の周波数位置の各々と整合され、ここにおいて、前記周波数グリッドの前記複数の周波数位置がほぼ均等に離間される、請求項５に記載の方法。
【請求項７】
前記フレームの前記第２の部分が、複数のキャリアを介した前記複数のチャネル上での送信のために出力され、前記複数のキャリアの各々が、前記周波数グリッドの前記複数の周波数位置の各々と整合される、請求項６に記載の方法。
【請求項８】
前記複数のキャリアが複数の直交周波数分割多重（ＯＦＤＭ）サブキャリアを備える、請求項７に記載の方法。
【請求項９】
前記複数のチャネルのうちの１つの前記中心周波数が、前記中心周波数シフトの前に前記周波数グリッドの前記周波数位置のうちの１つとすでに整合されている、請求項６に記載の方法。
【請求項１０】
前記フレームの前記第２の部分が、複数のキャリアを介した前記チャネル上での送信のために出力され、
前記中心周波数シフトの後に、前記チャネルの前記中心周波数間の間隔が、４１８×キャリア間隔、４１９×キャリア間隔、または４２０×キャリア間隔のうちの１つに等しい、
請求項５に記載の方法。
【請求項１１】
前記キャリア間隔が５．１５６２５ＭＨｚにほぼ等しい、請求項１０に記載の方法。
【請求項１２】
ワイヤレス通信のための装置であって、
第１の部分と第２の部分とを備えるフレームを生成することと、
少なくとも１つのチャネルの中心周波数をシフトすることと
を行うように構成された処理システムと、
前記中心周波数シフトの前に前記少なくとも１つのチャネル上での送信のために前記フレームの前記第１の部分を出力することと、
前記中心周波数シフトの後に前記少なくとも１つのチャネル上での送信のために前記フレームの前記第２の部分を出力することと
を行うように構成されたインターフェースと
を備える、装置。
【請求項１３】
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、請求項１２に記載の装置。
【請求項１４】
前記フレームの前記第１の部分が、シングルキャリア（ＳＣ）送信モードを使用する送信のために出力され、前記フレームの前記第２の部分が、直交周波数分割多重（ＯＦＤＭ）送信モードを使用する送信のために出力される、請求項１２に記載の装置。
【請求項１５】
前記中心周波数シフトがマイナス２．５８ＭＨｚからプラス２．５８ＭＨｚの間である、請求項１２に記載の装置。
【請求項１６】
前記少なくとも１つのチャネルが複数のチャネルを備え、前記複数のチャネルの各々がそれぞれの中心周波数を有し、
前記中心周波数シフトが、前記複数のチャネルのうちの１つまたは複数の各々の前記中心周波数をシフトすることを備える、
請求項１２に記載の装置。
【請求項１７】
前記中心周波数シフトの後に、前記複数のチャネルの各々の前記中心周波数が周波数グリッドの複数の周波数位置の各々と整合され、ここにおいて、前記周波数グリッドの前記複数の周波数位置がほぼ均等に離間される、請求項１６に記載の装置。
【請求項１８】
前記フレームの前記第２の部分が、複数のキャリアを介した前記複数のチャネル上での送信のために出力され、前記複数のキャリアの各々が、前記周波数グリッドの前記複数の周波数位置の各々と整合される、請求項１７に記載の装置。
【請求項１９】
前記複数のキャリアが複数の直交周波数分割多重（ＯＦＤＭ）サブキャリアを備える、請求項１８に記載の装置。
【請求項２０】
前記複数のチャネルのうちの１つの前記中心周波数が、前記中心周波数シフトの前に前記周波数グリッドの前記周波数位置のうちの１つとすでに整合されている、請求項１７に記載の装置。
【請求項２１】
前記フレームの前記第２の部分が、複数のキャリアを介した前記チャネル上での送信のために出力され、
前記中心周波数シフトの後に、前記チャネルの前記中心周波数間の間隔が、４１８×キャリア間隔、４１９×キャリア間隔、または４２０×キャリア間隔のうちの１つに等しい、
請求項１６に記載の装置。
【請求項２２】
前記キャリア間隔が５．１５６２５ＭＨｚにほぼ等しい、請求項２１に記載の装置。
【請求項２３】
ワイヤレス通信のための装置であって、
第１の部分と第２の部分とを備えるフレームを生成するための手段と、
少なくとも１つのチャネル上での送信のために前記フレームの前記第１の部分を出力するための手段と、
前記少なくとも１つのチャネルの中心周波数をシフトするための手段と、
前記中心周波数シフトの後に前記少なくとも１つのチャネル上での送信のために前記フレームの前記第２の部分を出力するための手段と
を備える、装置。
【請求項２４】
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、請求項２３に記載の装置。
【請求項２５】
前記フレームの前記第１の部分が、シングルキャリア（ＳＣ）送信モードを使用する送信のために出力され、前記フレームの前記第２の部分が、直交周波数分割多重（ＯＦＤＭ）送信モードを使用する送信のために出力される、請求項２３に記載の装置。
【請求項２６】
前記中心周波数シフトがマイナス２．５８ＭＨｚからプラス２．５８ＭＨｚの間である、請求項２３に記載の装置。
【請求項２７】
前記少なくとも１つのチャネルが複数のチャネルを備え、前記複数のチャネルの各々がそれぞれの中心周波数を有し、
前記少なくとも１つのチャネルの前記中心周波数をシフトするための前記手段が、前記複数のチャネルのうちの１つまたは複数の各々の前記中心周波数をシフトするための手段を備える、
請求項２３に記載の装置。
【請求項２８】
前記中心周波数シフトの後に、前記複数のチャネルの各々の前記中心周波数が周波数グリッドの複数の周波数位置の各々と整合され、ここにおいて、前記周波数グリッドの前記複数の周波数位置がほぼ均等に離間される、請求項２７に記載の装置。
【請求項２９】
前記フレームの前記第２の部分が、複数のキャリアを介した前記複数のチャネル上での送信のために出力され、前記複数のキャリアの各々が、前記周波数グリッドの前記複数の周波数位置の各々と整合される、請求項２８に記載の装置。
【請求項３０】
前記複数のキャリアが複数の直交周波数分割多重（ＯＦＤＭ）サブキャリアを備える、請求項２９に記載の装置。
【請求項３１】
前記複数のチャネルのうちの１つの前記中心周波数が、前記中心周波数シフトの前に前記周波数グリッドの前記周波数位置のうちの１つとすでに整合されている、請求項２８に記載の装置。
【請求項３２】
前記フレームの前記第２の部分が、複数のキャリアを介した前記チャネル上での送信のために出力され、
前記中心周波数シフトの後に、前記チャネルの前記中心周波数間の間隔が、４１８×キャリア間隔、４１９×キャリア間隔、または４２０×キャリア間隔のうちの１つに等しい、
請求項２７に記載の装置。
【請求項３３】
前記キャリア間隔が５．１５６２５ＭＨｚにほぼ等しい、請求項３２に記載の装置。
【請求項３４】
第１の部分と第２の部分とを備えるフレームを生成することと、
少なくとも１つのチャネル上での送信のために前記フレームの前記第１の部分を出力することと、
前記少なくとも１つのチャネルの中心周波数をシフトすることと、
前記中心周波数シフトの後に前記少なくとも１つのチャネル上での送信のために前記フレームの前記第２の部分を出力することと
を行うためのその上に記憶された命令を備えるコンピュータ可読媒体。
【請求項３５】
少なくとも１つのアンテナと、
第１の部分と第２の部分とを備えるフレームを生成することと、
少なくとも１つのチャネルの中心周波数をシフトすることと
を行うように構成された処理システムと、
前記中心周波数シフトの前に前記少なくとも１つのアンテナを介した前記少なくとも１つのチャネル上での送信のために前記フレームの前記第１の部分を出力することと、    前記中心周波数シフトの後に前記少なくとも１つのアンテナを介した前記少なくとも１つのチャネル上での送信のために前記フレームの前記第２の部分を出力することと
を行うように構成されたインターフェースと
を備える、ワイヤレスノード。
【請求項３６】
ワイヤレス通信のための方法であって、
受信機を介して、少なくとも１つのチャネル上でフレームの第１の部分を受信することと、
前記少なくとも１つのチャネルの中心周波数がシフトされた場合、前記受信機の周波数をシフトすることと、
前記受信機周波数シフトの後に、前記受信機を介して、前記少なくとも１つのチャネル上で前記フレームの第２の部分を受信することと、
第１の情報を取得するために、前記フレームの前記受信された第１の部分を処理することと、
第２の情報を取得するために、前記フレームの前記受信された第２の部分を処理することと
を備える、方法。
【請求項３７】
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、請求項３６に記載の方法。
【請求項３８】
前記第１の情報が、チャネル推定値、フレームタイミング情報またはヘッダ情報のうちの少なくとも１つを備え、前記第２の情報が前記データペイロード中のデータを備える、請求項３７に記載の方法。
【請求項３９】
前記フレームの前記第１の部分が、シングルキャリア（ＳＣ）送信モードを使用して受信され、前記フレームの前記第２の部分が、直交周波数分割多重（ＯＦＤＭ）送信モードを使用して受信される、請求項３６に記載の方法。
【請求項４０】
前記受信機の前記周波数をシフトすることが、マイナス２．５８ＭＨｚからプラス２．５８ＭＨｚの間で前記受信機の前記周波数をシフトすることを備える、請求項３６に記載の方法。
【請求項４１】
ワイヤレス通信のための装置であって、
受信機を介して、少なくとも１つのチャネル上でフレームの第１の部分と第２の部分とを受信するように構成されたインターフェースと、
前記フレームの前記第１の部分の受信と前記フレームの前記第２の部分の受信との間で前記少なくとも１つのチャネルの中心周波数がシフトされた場合、前記受信機の周波数をシフトすることと、
第１の情報を取得するために、前記フレームの前記受信された第１の部分を処理することと、
第２の情報を取得するために、前記フレームの前記受信された第２の部分を処理することと
を行うように構成された処理システムと
を備える、装置。
【請求項４２】
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、請求項４１に記載の装置。
【請求項４３】
前記第１の情報が、チャネル推定値、フレームタイミング情報またはヘッダ情報のうちの少なくとも１つを備え、前記第２の情報が前記データペイロード中のデータを備える、請求項４２に記載の装置。
【請求項４４】
前記フレームの前記第１の部分が、シングルキャリア（ＳＣ）送信モードを使用して受信され、前記フレームの前記第２の部分が、直交周波数分割多重（ＯＦＤＭ）送信モードを使用して受信される、請求項４１に記載の装置。
【請求項４５】
前記受信機の前記周波数シフトがマイナス２．５８ＭＨｚからプラス２．５８ＭＨｚの間である、請求項４１に記載の装置。
【請求項４６】
ワイヤレス通信のための装置であって、
少なくとも１つのチャネル上でフレームの第１の部分を受信するための手段と、
前記少なくとも１つのチャネルの中心周波数がシフトされた場合、前記装置の受信機周波数をシフトするための手段と、
前記受信機周波数シフトの後に、前記少なくとも１つのチャネル上で前記フレームの第２の部分を受信するための手段と、
第１の情報を取得するために、前記フレームの前記受信された第１の部分を処理するための手段と、
第２の情報を取得するために、前記フレームの前記受信された第２の部分を処理するための手段と
を備える、装置。
【請求項４７】
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、請求項４６に記載の装置。
【請求項４８】
前記第１の情報が、チャネル推定値、フレームタイミング情報またはヘッダ情報のうちの少なくとも１つを備え、前記第２の情報が前記データペイロード中のデータを備える、請求項４７に記載の装置。
【請求項４９】
前記フレームの前記第１の部分が、シングルキャリア（ＳＣ）送信モードを使用して受信され、前記フレームの前記第２の部分が、直交周波数分割多重（ＯＦＤＭ）送信モードを使用して受信される、請求項４６に記載の装置。
【請求項５０】
前記受信機周波数シフトがマイナス２．５８ＭＨｚからプラス２．５８ＭＨｚの間である、請求項４６に記載の装置。
【請求項５１】
受信機を介して、少なくとも１つのチャネル上でフレームの第１の部分を受信することと、
前記少なくとも１つのチャネルの中心周波数がシフトされた場合、前記受信機の周波数をシフトすることと、
前記受信機周波数シフトの後に、前記受信機を介して、前記少なくとも１つのチャネル上で前記フレームの第２の部分を受信することと、
第１の情報を取得するために、前記フレームの前記受信された第１の部分を処理することと、
第２の情報を取得するために、前記フレームの前記受信された第２の部分を処理することと
を行うためのその上に記憶された命令を備えるコンピュータ可読媒体。
【請求項５２】
少なくとも１つのアンテナと、
前記少なくとも１つのアンテナを介して、少なくとも１つのチャネル上でフレームの第１の部分と第２の部分とを受信するように構成された受信機と、
前記フレームの前記第１の部分の受信と前記フレームの前記第２の部分の受信との間で前記少なくとも１つのチャネルの中心周波数がシフトされた場合、前記受信機の周波数をシフトすることと、
第１の情報を取得するために、前記フレームの前記受信された第１の部分を処理することと、
第２の情報を取得するために、前記フレームの前記受信された第２の部分を処理することと
を行うように構成された処理システムと
を備える、ワイヤレスノード。
【発明の詳細な説明】
【技術分野】
【０００１】
関連出願の相互参照
[0001]本出願は、その内容全体が参照により本明細書に組み込まれる、２０１５年９月３日に米国特許商標庁に出願された仮出願第６２／２１４，１１７号、２０１６年３月３日に米国特許商標庁に出願された仮出願第６２／３０３，３３６号、および２０１６年８月２５日に米国特許商標庁に出願された非仮出願第１５／２４７，４６９号の優先権および利益を主張する。
【０００２】
[0002]本開示のいくつかの態様は、一般にワイヤレス通信に関し、より詳細には、サブキャリアの再チャネル化に関する。
【背景技術】
【０００３】
[0003]ワイヤレス通信システムのために要求される増加する帯域幅の要件という問題に対処するために、異なる方式が開発されている。いくつかの方式では、データは、６０ＧＨｚ範囲中の１つまたは複数のチャネル上で高データレート（たとえば、数ギガビット／ｓ）でワイヤレス送信される。
【発明の概要】
【０００４】
[0004]第１の態様は、ワイヤレス通信のための方法に関する。本方法は、第１の部分と第２の部分とを備えるフレームを生成することと、少なくとも１つのチャネル上での送信のためにフレームの第１の部分を出力することと、少なくとも１つのチャネルの中心周波数をシフトすることと、中心周波数シフトの後に少なくとも１つのチャネル上での送信のためにフレームの第２の部分を出力することとを備える。
【０００５】
[0005]第２の態様は、ワイヤレス通信のための装置に関する。システムは、第１の部分と第２の部分とを備えるフレームを生成することと、少なくとも１つのチャネルの中心周波数をシフトすることとを行うように構成された処理システムを備える。システムはまた、中心周波数シフトの前に少なくとも１つのチャネル上での送信のためにフレームの第１の部分を出力することと、中心周波数シフトの後に少なくとも１つのチャネル上での送信のためにフレームの第２の部分を出力することとを行うように構成されたインターフェースを備える。
【０００６】
[0006]第３の態様は、ワイヤレス通信のための装置に関する。本装置は、第１の部分と第２の部分とを備えるフレームを生成するための手段と、少なくとも１つのチャネル上での送信のためにフレームの第１の部分を出力するための手段と、少なくとも１つのチャネルの中心周波数をシフトするための手段と、中心周波数シフトの後に少なくとも１つのチャネル上での送信のためにフレームの第２の部分を出力するための手段とを備える。
【０００７】
[0007]第４の態様は、第１の部分と第２の部分とを備えるフレームを生成することと、少なくとも１つのチャネル上での送信のためにフレームの第１の部分を出力することと、少なくとも１つのチャネルの中心周波数をシフトすることと、中心周波数シフトの後に少なくとも１つのチャネル上での送信のためにフレームの第２の部分を出力することとを行うためのその上に記憶された命令を備えるコンピュータ可読媒体に関する。
【０００８】
[0008]第５の態様はワイヤレスノードに関する。本ワイヤレスノードは、少なくとも１つのアンテナと、第１の部分と第２の部分とを備えるフレームを生成することと、少なくとも１つのチャネルの中心周波数をシフトすることとを行うように構成された処理システムとを備える。本ワイヤレスノードはまた、中心周波数シフトの前に少なくとも１つのアンテナを介した少なくとも１つのチャネル上での送信のためにフレームの第１の部分を出力することと、中心周波数シフトの後に少なくとも１つのアンテナを介した少なくとも１つのチャネル上での送信のためにフレームの第２の部分を出力することとを行うように構成されたインターフェースを備える。
【０００９】
[0009]第６の態様は、ワイヤレス通信のための方法に関する。本方法は、受信機を介して、少なくとも１つのチャネル上でフレームの第１の部分を受信することと、少なくとも１つのチャネルの中心周波数がシフトされた場合、受信機の周波数をシフトすることと、受信機周波数シフトの後に、受信機を介して、少なくとも１つのチャネル上でフレームの第２の部分を受信することとを備える。本方法はまた、第１の情報を取得するために、フレームの受信された第１の部分を処理することと、第２の情報を取得するために、フレームの受信された第２の部分を処理することとを備える。
【００１０】
[0010]第７の態様は、ワイヤレス通信のための装置に関する。本装置は、受信機を介して、少なくとも１つのチャネル上でフレームの第１の部分と第２の部分とを受信するように構成されたインターフェースを備える。本装置はまた、フレームの第１の部分の受信とフレームの第２の部分の受信との間で少なくとも１つのチャネルの中心周波数がシフトされた場合、受信機の周波数をシフトすることと、第１の情報を取得するために、フレームの受信された第１の部分を処理することと、第２の情報を取得するために、フレームの受信された第２の部分を処理することとを行うように構成された処理システムを備える。
【００１１】
[0011]第８の態様は、ワイヤレス通信のための装置に関する。本装置は、少なくとも１つのチャネル上でフレームの第１の部分を受信するための手段と、少なくとも１つのチャネルの中心周波数がシフトされた場合、本装置の受信機周波数をシフトするための手段と、受信機周波数シフトの後に、少なくとも１つのチャネル上でフレームの第２の部分を受信するための手段とを備える。本装置はまた、第１の情報を取得するために、フレームの受信された第１の部分を処理するための手段と、第２の情報を取得するために、フレームの受信された第２の部分を処理するための手段とを備える。
【００１２】
[0012]第９の態様は、受信機を介して、少なくとも１つのチャネル上でフレームの第１の部分を受信することと、少なくとも１つのチャネルの中心周波数がシフトされた場合、受信機の周波数をシフトすることと、受信機周波数シフトの後に、受信機を介して、少なくとも１つのチャネル上でフレームの第２の部分を受信することと、第１の情報を取得するために、フレームの受信された第１の部分を処理することと、第２の情報を取得するために、フレームの受信された第２の部分を処理することとを行うためのその上に記憶された命令を備えるコンピュータ可読媒体に関する。
【００１３】
[0013]第１０の態様はワイヤレスノードに関する。本ワイヤレスノードは、少なくとも１つのアンテナと、少なくとも１つのアンテナを介して、少なくとも１つのチャネル上でフレームの第１の部分と第２の部分とを受信するように構成された受信機とを備える。本ワイヤレスノードはまた、フレームの第１の部分の受信とフレームの第２の部分の受信との間で少なくとも１つのチャネルの中心周波数がシフトされた場合、受信機の周波数をシフトすることと、第１の情報を取得するために、フレームの受信された第１の部分を処理することと、第２の情報を取得するために、フレームの受信された第２の部分を処理することとを行うように構成された処理システムを備える。
【図面の簡単な説明】
【００１４】
【図１】[0014]本開示のいくつかの態様による、例示的なワイヤレス通信システムを示す図。
【図２】[0015]本開示のいくつかの態様による、例示的なアクセスポイントおよびアクセス端末のブロック図。
【図３】[0016]図３Ａは、本開示のいくつかの態様による、例示的なフレームを示す図。図３Ｂは、本開示のいくつかの態様による、例示的なフレームを示す図。図３Ｃは、本開示のいくつかの態様による、例示的なフレームを示す図。図３Ｄは、本開示のいくつかの態様による、例示的なフレームを示す図。[0017]図３Ｅは、本開示のいくつかの態様による、図３Ａ〜図３Ｄに示されている例示的なフレームのための例示的な送信電力プロファイルを示す図。
【図４Ａ】[0018]図４Ａは、本開示のいくつかの態様による、非隣接チャネル上での送信のための例示的なフレームを示す図。図４Ｂは、本開示のいくつかの態様による、非隣接チャネル上での送信のための例示的なフレームを示す図。図４Ｃは、本開示のいくつかの態様による、非隣接チャネル上での送信のための例示的なフレームを示す図。[0019]図４Ｄは、本開示のいくつかの態様による、図４Ａ〜図４Ｃに示されている例示的なフレームのための例示的な送信電力プロファイルを示す図。
【図４Ｂ】[0020]図４Ｅは、本開示のいくつかの態様による、２つの隣接チャネルおよび単一の非隣接チャネル上での送信のための例示的なフレームを示す図。図４Ｆは、本開示のいくつかの態様による、２つの隣接チャネルおよび単一の非隣接チャネル上での送信のための例示的なフレームを示す図。[0021]図４Ｇは、本開示のいくつかの態様による、図４Ｅおよび図４Ｆに示されている例示的なフレームのための例示的な送信電力プロファイルを示す図。
【図５】[0022]レガシー８０２．１１ａｄ規格に従うチャネルのための中心周波数およびサブキャリア周波数を示す図。
【図６】[0023]レガシー８０２．１１ａｄ規格に従う４つのチャネルのための中心周波数およびサブキャリア周波数を示す図。
【図７】[0024]本開示のいくつかの態様による、周波数グリッドと整合された４つのチャネルのための中心周波数およびサブキャリア周波数を示す図。
【図８】[0025]本開示のいくつかの態様による、レガシー８０２．１１ａｄ規格に従う４つのチャネルのための中心周波数およびサブキャリア周波数に対する、周波数グリッドと整合された４つのチャネルのための中心周波数およびサブキャリア周波数を示す図。
【図９】[0026]本開示のいくつかの態様による、４つのチャネルの中心周波数が４１８個のサブキャリアだけオフセットされる一例を示す図。
【図１０】[0027]本開示のいくつかの態様による、４つのチャネルの中心周波数が４２０個のサブキャリアだけオフセットされる一例を示す図。
【図１１】[0028]本開示のいくつかの態様による、様々なチャネルボンディング（ＣＢ：channel bonding）オプションを示す図。
【図１２】[0029]本開示のいくつかの態様による、様々なチャネルボンディング（ＣＢ）オプションと、ＣＢオプションのための中心周波数とを示す図。
【図１３】[0030]本開示のいくつかの態様による、ワイヤレス通信のための方法のフローチャート。
【図１４】[0031]本開示のいくつかの態様による、ワイヤレス通信のための方法のフローチャート。
【図１５】[0032]本開示のいくつかの態様による、例示的なデバイスを示す図。
【発明を実施するための形態】
【００１５】
[0033]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００１６】
[0034]「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。
【００１７】
[0035]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００１８】
例示的なワイヤレス通信システム
[0036]本明細書で説明される技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のアクセス端末に属するデータを同時に送信するために十分に異なる方向を利用し得る。ＴＤＭＡシステムは、送信信号を異なるタイムスロットに分割することによって、複数のアクセス端末が同じ周波数チャネルを共有することを可能にし得、各タイムスロットは異なるアクセス端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００１９】
[0037]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２０】
[0038]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２１】
[0039]アクセス端末（「ＡＴ」）は、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２２】
[0040]以下の説明に関して、アクセスポイントとユーザデバイスとの間の通信のみが可能にされるのではなく、それぞれのユーザデバイス間の直接（たとえば、ピアツーピア）通信も可能にされることを理解されたい。さらに、デバイス（たとえば、アクセスポイントまたはユーザデバイス）は、様々な条件に従ってユーザデバイスとアクセスポイントとの間のそれの挙動を変更し得る。また、１つの物理デバイスが複数の役割を果たすこと、すなわち、たとえば、異なるチャネル、異なるタイムスロット、またはその両方上の、ユーザデバイスおよびアクセスポイント、複数のユーザデバイス、複数のアクセスポイントであることがある。
【００２３】
[0041]図１は、本開示のいくつかの態様による、例示的なワイヤレス通信ネットワーク１００の図である。通信ネットワーク１００は、アクセスポイント１０２と、バックボーンネットワーク１０４と、レガシーユーザデバイス１０６と、更新されたレガシーユーザデバイス１０８と、新しいプロトコルユーザデバイス１１０とを備える。
【００２４】
[0042]ワイヤレスローカルエリアネットワーク（ＬＡＮ）適用例のために構成され得るアクセスポイント１０２は、ユーザデバイス１０６、１０８、および１１０間のデータ通信を可能にし得る。アクセスポイント１０２は、さらに、バックボーンネットワーク１０４に結合されたデバイスと、ユーザデバイス１０６、１０８、および１１０のうちのいずれか１つまたは複数との間のデータ通信を可能にし得る。
【００２５】
[0043]この例では、アクセスポイント１０２とレガシーユーザデバイス１０６とは、レガシープロトコルを使用して互いの間でデータを通信する。レガシープロトコルの一例としては、ＩＥＥＥ８０２．１１ａｄがある。このプロトコルによれば、アクセスポイント１０２とレガシーユーザデバイス１０６との間のデータ通信は、８０２．１１ａｄプロトコルに準拠するデータフレームの送信を介して実現される。本明細書でさらに説明されるように、８０２．１１ａｄデータフレームは、レガシーショートトレーニングフィールド（Ｌ−ＳＴＦ）および（現在一般にレガシーチャネル推定フィールド（Ｌ−ＣＥＦ）と呼ばれる）レガシーチャネル推定シーケンス（Ｌ−ＣＥＳ）からなるプリアンブルと、レガシーヘッダ（Ｌ−ヘッダ）と、データペイロードと、随意のビームフォーミングトレーニングフィールドとを含む。
【００２６】
[0044]Ｌ−ＳＴＦシーケンスは、複数のゴレイシーケンス（Ｇａ128）と、Ｌ−ＳＴＦシーケンスの終了を示す負のゴレイシーケンス（−Ｇａ128）とを含む。Ｌ−ＳＴＦシーケンスは、受信機が、フレームの残りと後続フレームとを正確に受信するために、それの自動利得制御（ＡＧＣ）、タイミング、および周波数セットアップをセットアップするのを支援し得る。シングルキャリア（ＳＣ）送信モードの場合、Ｌ−ＣＥＦシーケンスは、（以下の連結されたゴレイシーケンス（−Ｇｂ128、−Ｇａ128、Ｇｂ128、−Ｇａ128）からなるＧｕ512シーケンスと、それに続く、（以下の連結されたゴレイシーケンス（−Ｇｂ128、Ｇａ128、−Ｇｂ128、−Ｇａ128）からなるＧｖ512シーケンスとを含み、（−Ｇｂ128と同じ）Ｇｖ128シーケンスで終了する。直交周波数分割多重（ＯＦＤＭ）送信モードの場合、Ｌ−ＣＥＦシーケンスは、Ｇｖ512シーケンスと、それに続くＧｕ512シーケンスとを含み、Ｇｖ128シーケンスで終了する。Ｌ−ＣＥＦシーケンスは、受信機が、フレームがそれを通して送られるチャネル周波数応答を推定するのを支援する。
【００２７】
[0045]Ｌ−ヘッダは、フレームに関する様々な情報を含む。そのような情報は、データホワイトニング目的でＬ−ヘッダの残りとデータペイロードとに適用されるスクランブリングのためのシードを指定する、スクランブラ開始フィールドを含む。Ｌ−ヘッダはまた、フレームのデータペイロードを送信するために使用される１２個の定義された変調およびコーディング方式（ＭＣＳ：modulation and coding scheme）のうちの１つを示すためのＭＣＳフィールドを含む。Ｌ−ヘッダは、オクテットでのデータペイロードの長さを示すための長さフィールドを含む。Ｌ−ヘッダは、さらに、フレームの終わりに随意のビームフォーミングトレーニングシーケンスの長さを示すためのトレーニング長さフィールドを含む。さらに、Ｌ−ヘッダは、随意のビームフォーミングフィールドが送信に関係するのか受信に関係するのかを示すためのパケットタイプフィールドを含む。さらに、Ｌ−ヘッダは、ヘッダビットに対するＣＲＣ−３２チェックサムを示すためのヘッダチェックサム（ＨＣＳ）フィールドを含む。
【００２８】
[0046]再び図１を参照すると、レガシーユーザデバイス１０６は、８０２．１１ａｄデータフレーム全体を復号することが可能である。新しい規格またはプロトコル８０２．１１ａｙのために後に採用され得る、本明細書で開示される新しいフレームは、何らかの後方互換性特徴を与える。本明細書でより詳細に説明されるように、新しいフレームは、８０２．１１ａｄプロトコルのプリアンブル（Ｌ−ＳＴＦおよびＬ−ＣＥＦ）およびＬ−ヘッダと、新しいプロトコルに関係する１つまたは複数の追加の部分とを含む。したがって、レガシーユーザデバイス１０６は、新しいフレームの８０２．１１ａｄプリアンブル（Ｌ−ＳＴＦおよびＬ−ＣＥＦ）とＬ−ヘッダ部分とを復号するように構成されるが、新しいフレームの残りの部分を復号するように構成されない。レガシーユーザデバイス１０６は、送信衝突回避目的で新しいフレームの長さを決定するためにネットワーク割振りベクトル（ＮＡＶ）を計算するために、新しいフレームの８０２．１１ａｄプリアンブルとヘッダ部分とを復号し得る。
【００２９】
[0047]更新されたレガシーユーザデバイス１０８も、レガシー８０２．１１ａｄプロトコルの下で動作し、８０２．１１ａｄデータフレームを使用してアクセスポイント１０２と通信することが可能である。しかしながら、更新されたレガシーユーザデバイス１０８のフレーム処理能力は、本明細書でさらに説明されるように、新しいフレームの属性を示す新しいフレームのＬ−ヘッダ中のいくつかのビットを解釈するように更新されている。レガシー８０２．１１ａｄプロトコルによれば、これらのビットは、Ｌ−ヘッダ中のデータ長の最下位ビット（ＬＳＢ）に割り振られる。しかし、新しいフレームによれば、Ｌ−ヘッダの別段に割り振られたビットは、新しいフレームに関連するある送信モードによる新しいフレームの第１の部分と新しいフレームの第２の部分との間の送信電力差を示すために使用される。これらのビットは、更新されたレガシーユーザデバイス１０８が、信号干渉管理目的で電力差（増加）を予期することを可能にする。この例では、ＬＳＢ長さビットの割振りは上述の電力差を示すが、これらのビットは他の目的で割り振られ得ることを理解されたい。
【００３０】
[0048]新しいプロトコルユーザデバイス１１０は、新しいデータフレームを使用してアクセスポイント１０２と通信することが可能であり、新しいフレームの一部または全部の特徴が８０２．１１ａｙプロトコルのために採用され得る。本明細書でさらに説明されるように、新しいデータフレームは、レガシー８０２．１１ａｄプリアンブル（Ｌ−ＳＴＦおよびＬ−ＣＥＦ）とＬ−ヘッダとを含み、Ｌ−ヘッダは、新しいフレームに関連する送信モードと、前に説明されたように、新しいフレームの第１の部分と新しいフレームの第２の部分との間の送信電力差とを示すためにわずかに改変される。新しいフレームのＬ−ヘッダのわずかな改変は、レガシーユーザデバイス１０６および更新されたレガシーユーザデバイス１０８によるＬ−ヘッダの復号に影響を及ぼさない。送信モードを示す新しいフレームのＬ−ヘッダ中のビットは、規格８０２．１１ａｄレガシーヘッダ中の予約済みビットである。
【００３１】
[0049]レガシープリアンブル（Ｌ−ＳＴＦおよびＬ−ＣＥＦ）およびＬ−ヘッダに加えて、新しいフレームは、拡張指向性マルチギガビット（ＥＤＭＧ：Extended Directional Multigigabit）ヘッダをさらに備える。本明細書でより詳細に説明されるように、ＥＤＭＧヘッダは、新しいフレームの様々な属性を示すための複数のフィールドを備える。そのような属性は、ペイロードデータ長と、ＥＤＭＧヘッダ中の低密度パリティチェック（ＬＤＰＣ：low density parity check）データブロックの数と、サポートされる空間ストリームの数と、ボンディングされたチャネルの数と、ボンディングされたチャネルの最左（最低周波数）チャネルと、新しいフレームのデータペイロードのために使用されるＭＣＳと、フレームの異なる部分間の送信電力差と、他の情報とを含む。ＥＤＭＧヘッダは、さらに、新しいフレームの（現在一般にＥＤＭＧデータペイロードと呼ばれる）データペイロード部分中にないペイロードデータに付加され得る。ショートメッセージでは、ペイロードデータのすべてがＥＤＭＧヘッダに付加、それによって、フレームに著しいオーバーヘッドを追加する新しいフレームの「別個の」ＥＤＭＧデータペイロードを送信する必要を回避し得る。
【００３２】
[0050]新しいデータフレームは、より高いデータ変調方式と、チャネルボンディングと、チャネルアグリゲーションと、多入力多出力（ＭＩＭＯ）アンテナ構成を介した改善された空間送信とを採用することによって、データスループットを改善するための追加の特徴を与えるように構成される。たとえば、レガシー８０２．１１ａｄプロトコルは、ＢＰＳＫ、ＱＰＳＫ、および１６ＱＡＭの利用可能な変調方式を含む。新しいプロトコルによれば、６４ＱＡＭ、６４ＡＰＳＫ、１２８ＡＰＳＫ、２５６ＱＡＭ、および２５６ＡＰＳＫなど、より高い変調方式が利用可能である。さらに、データスループットを増加させるために、複数のチャネルがボンディングまたはアグリゲートされ得る。さらに、そのようなボンディングまたはアグリゲートされたチャネルは、ＭＩＭＯアンテナ構成を使用して複数の空間送信として送信され得る。
【００３３】
[0051]図２は、ワイヤレス通信システム２００のアクセスポイント２１０（概して、第１のワイヤレスノード）およびアクセス端末２２０（概して、第２のワイヤレスノード）のブロック図を示す。アクセスポイント２１０は、ダウンリンクでは送信エンティティであり、アップリンクでは受信エンティティである。アクセス端末２２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはワイヤレスノードであり、「受信エンティティ」は、ワイヤレスチャネルを介してデータを受信することが可能な独立動作型の装置またはワイヤレスノードである。
【００３４】
[0052]この例では、ワイヤレスノード２１０はアクセスポイントであり、ワイヤレスノード２２０はアクセス端末であるが、ワイヤレスノード２１０は代替的にアクセス端末であり得、ワイヤレスノード２２０は代替的にアクセスポイントであり得ることを理解されたい。ワイヤレスノード２１０は、図１中のアクセスポイント１０２を実装するために使用され得、ワイヤレスノード２２０は、図１中のユーザデバイス１０６、１０８および１１０のいずれか１つを実装するために使用され得る。
【００３５】
[0053]データを送信するために、アクセスポイント２１０は、送信データプロセッサ２１８と、フレームビルダー２２２と、送信プロセッサ２２４と、複数のトランシーバ２２６−１〜２２６−Ｎと、複数のアンテナ２３０−１〜２３０−Ｎとを備える。アクセスポイント２１０は、以下でさらに説明されるように、アクセスポイント２１０の動作を制御するように構成されたコントローラ２３４をも備える。
【００３６】
[0054]動作中、送信データプロセッサ２１８は、データソース２１５からデータ（たとえば、データビット）を受信し、送信のためにデータを処理する。たとえば、送信データプロセッサ２１８は、データ（たとえば、データビット）を符号化されたデータに符号化し、符号化されたデータをデータシンボルに変調し得る。送信データプロセッサ２１８は、異なる変調およびコーディング方式（ＭＣＳ）をサポートし得る。たとえば、送信データプロセッサ２１８は、複数の異なるコーディングレートのうちのいずれか１つで（たとえば、低密度パリティチェック（ＬＤＰＣ）符号化を使用して）データを符号化し得る。また、送信データプロセッサ２１８は、限定はしないが、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含む、複数の異なる変調方式のうちのいずれか１つを使用して、符号化されたデータを変調し得る。
【００３７】
[0055]いくつかの態様では、コントローラ２３４は、（たとえば、ダウンリンクのチャネル状態に基づいて）どの変調およびコーディング方式（ＭＣＳ）を使用すべきかを指定するコマンドを送信データプロセッサ２１８に送り得、送信データプロセッサ２１８は、指定されたＭＣＳに従ってデータソース２１５からのデータを符号化および変調し得る。送信データプロセッサ２１８は、データスクランブリングおよび／または他の処理など、追加の処理をデータに対して実行し得ることを諒解されたい。送信データプロセッサ２１８は、フレームビルダー２２２にデータシンボルを出力する。
【００３８】
[0056]フレームビルダー２２２は、（パケットとも呼ばれる）フレームを構成し、フレームのデータペイロードにデータシンボルを挿入する。例示的なフレーム構造またはフォーマットが以下でさらに説明される。フレームビルダー２２２は、送信プロセッサ２２４にフレームを出力する。送信プロセッサ２２４は、ダウンリンク上での送信のためにフレームを処理する。たとえば、送信プロセッサ２２４は、直交周波数分割多重（ＯＦＤＭ）送信モードおよびシングルキャリア（ＳＣ）送信モードなど、異なる送信モードをサポートし得る。この例では、コントローラ２３４は、どの送信モードを使用すべきかを指定するコマンドを送信プロセッサ２２４に送り得、送信プロセッサ２２４は、指定された送信モードに従って送信のためにフレームを処理し得る。
【００３９】
[0057]いくつかの態様では、送信プロセッサ２２４は、多出力多入力（ＭＩＭＯ）送信をサポートし得る。これらの態様では、アクセスポイント２１０は、複数のアンテナ２３０−１〜２３０−Ｎと複数のトランシーバ２２６−１〜２２６−Ｎ（たとえば、アンテナ２３０−１〜２３０−Ｎの各々について１つ）とを含む。送信プロセッサ２２４は、着信フレームに対して空間処理を実行し、複数のアンテナ２３０−１〜２３０−Ｎに複数の送信フレームストリームを与え得る。トランシーバ２２６−１〜２２６−Ｎは、アンテナ２３０−１〜２３０−Ｎを介した送信のための送信信号を生成するために、それぞれの送信フレームストリームを受信および処理（たとえば、アナログに変換、増幅、フィルタ処理、および周波数アップコンバート）する。
【００４０】
[0058]データを送信するために、アクセス端末２２０は、送信データプロセッサ２６０と、フレームビルダー２６２と、送信プロセッサ２６４と、複数のトランシーバ２６６−１〜２６６−Ｎと、複数のアンテナ２７０−１〜２７０−Ｎとを備える。アクセス端末２２０は、アップリンク上でアクセスポイント２１０にデータを送信し、および／または（たとえば、ピアツーピア通信のために）別のアクセス端末にデータを送信し得る。アクセス端末２２０は、以下でさらに説明されるように、アクセス端末２２０の動作を制御するように構成されたコントローラ２７４をも備える。
【００４１】
[0059]動作中、送信データプロセッサ２６０は、データソース２５５からデータ（たとえば、データビット）を受信し、送信のためにデータを処理（たとえば、符号化および変調）する。送信データプロセッサ２６０は、異なるＭＣＳをサポートし得る。たとえば、送信データプロセッサ２６０は、複数の異なるコーディングレートのうちのいずれか１つで（たとえば、ＬＤＰＣ符号化を使用して）データを符号化し、限定はしないが、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含む、複数の異なる変調方式のうちのいずれか１つを使用して、符号化されたデータを変調し得る。いくつかの態様では、コントローラ２７４は、（たとえば、アップリンクのチャネル状態に基づいて）どのＭＣＳを使用すべきかを指定するコマンドを送信データプロセッサ２６０に送り得、送信データプロセッサ２６０は、指定されたＭＣＳに従ってデータソース２５５からのデータを符号化および変調し得る。送信データプロセッサ２６０は、データに対して追加の処理を実行し得ることを諒解されたい。送信データプロセッサ２６０は、フレームビルダー２６２にデータシンボルを出力する。
【００４２】
[0060]フレームビルダー２６２は、フレームを構成し、フレームのデータペイロードに受信されたデータシンボルを挿入する。例示的なフレーム構造またはフォーマットが以下でさらに説明される。フレームビルダー２６２は、送信プロセッサ２６４にフレームを出力する。送信プロセッサ２６４は、送信のためにフレームを処理する。たとえば、送信プロセッサ２６４は、ＯＦＤＭ送信モードおよびＳＣ送信モードなど、異なる送信モードをサポートし得る。この例では、コントローラ２７４は、どの送信モードを使用すべきかを指定するコマンドを送信プロセッサ２６４に送り得、送信プロセッサ２６４は、指定された送信モードに従って送信のためにフレームを処理し得る。
【００４３】
[0061]いくつかの態様では、送信プロセッサ２６４は、多出力多入力（ＭＩＭＯ）送信をサポートし得る。これらの態様では、アクセス端末２２０は、複数のアンテナ２７０−１〜２７０−Ｎと複数のトランシーバ２６６−１〜２６６−Ｎ（たとえば、アンテナ２７０−１〜２７０−Ｎの各々について１つ）とを含む。送信プロセッサ２６４は、着信フレームに対して空間処理を実行し、複数のアンテナ２７０−１〜２７０−Ｎに複数の送信フレームストリームを与え得る。トランシーバ２６６−１〜２６６−Ｎは、アンテナ２７０−１〜２７０−Ｎを介した送信のための送信信号を生成するために、それぞれの送信フレームストリームを受信および処理（たとえば、アナログに変換、増幅、フィルタ処理、および周波数アップコンバート）する。
【００４４】
[0062]データを受信するために、アクセスポイント２１０は、受信プロセッサ２４２と受信データプロセッサ２４４とを備える。動作中、トランシーバ２２６−１〜２２６−Ｎは、アンテナ２３０−１〜２３０−Ｎを介して（たとえば、アクセス端末２２０から）信号を受信し、受信された信号を処理（たとえば、周波数ダウンコンバート、増幅、フィルタ処理、およびデジタルに変換）する。
【００４５】
[0063]受信プロセッサ２４２は、トランシーバ２２６−１〜２２６−Ｎの出力を受信し、データシンボルを復元するために出力を処理する。たとえば、アクセスポイント２１０は、フレーム中で（たとえば、アクセス端末２２０から）データを受信し得る。この例では、受信プロセッサ２４２は、フレームのプリアンブル中のＳＴＦシーケンスを使用してフレームの開始を検出し得る。受信プロセッサ２４２はまた、自動利得制御（ＡＧＣ）調整のためにＳＴＦを使用し得る。受信プロセッサ２４２はまた、（たとえば、フレームのプリアンブル中のＣＥＦを使用して）チャネル推定を実行し、チャネル推定に基づいて、受信された信号に対してチャネル等化を実行し得る。
【００４６】
[0064]受信プロセッサ２４２はまた、フレームのヘッダから情報（たとえば、ＭＣＳ方式）を復元し、コントローラ２３４に情報を送り得る。チャネル等化を実行した後、受信プロセッサ２４２は、フレームからデータシンボルを復元し、さらなる処理のために受信データプロセッサ２４４に復元されたデータシンボルを出力し得る。受信プロセッサ２４２は他の処理を実行し得ることを諒解されたい。
【００４７】
[0065]受信データプロセッサ２４４は、受信プロセッサ２４２からデータシンボルを受信し、コントローラ２３４から対応するＭＣＳ方式の指示を受信する。受信データプロセッサ２４４は、示されたＭＣＳ方式に従ってデータを復元するために、データシンボルを復調および復号し、記憶および／またはさらなる処理のためにデータシンク２４６に復元されたデータ（たとえば、データビット）を出力する。
【００４８】
[0066]上記で説明されたように、アクセス端末２２０は、ＯＦＤＭ送信モードまたはＳＣ送信モードを使用してデータを送信し得る。この場合、受信プロセッサ２４２は、選択された送信モードに従って受信信号を処理し得る。また、上記で説明されたように、送信プロセッサ２６４は、多出力多入力（ＭＩＭＯ）送信をサポートし得る。この場合、アクセスポイント２１０は、複数のアンテナ２３０−１〜２３０−Ｎと複数のトランシーバ２２６−１〜２２６−Ｎ（たとえば、アンテナ２３０−１〜２３０−Ｎの各々について１つ）とを含む。トランシーバ２２６−１〜２２６−Ｎの各々は、それぞれのアンテナからの信号を受信および処理（たとえば、周波数ダウンコンバート、増幅、フィルタ処理、デジタルに変換）する。受信プロセッサ２４２は、データシンボルを復元するために、トランシーバ２２６−１〜２２６−Ｎの出力に対して空間処理を実行し得る。
【００４９】
[0067]データを受信するために、アクセス端末２２０は、受信プロセッサ２８２と受信データプロセッサ２８４とを備える。動作中、トランシーバ２６６−１〜２６６−Ｎは、アンテナ２７０−１〜２７０−３を介して（たとえば、アクセスポイント２１０または別のアクセス端末から）信号を受信し、受信された信号を処理（たとえば、周波数ダウンコンバート、増幅、フィルタ処理、およびデジタルに変換）する。
【００５０】
[0068]受信プロセッサ２８２は、トランシーバ２６６−１〜２２６−Ｎの出力を受信し、データシンボルを復元するために出力を処理する。たとえば、アクセス端末２２０は、上記で説明されたように、フレーム中で（たとえば、アクセスポイント２１０または別のアクセス端末から）データを受信し得る。この例では、受信プロセッサ２８２は、フレームのプリアンブル中のＳＴＦシーケンスを使用してフレームの開始を検出し得る。受信プロセッサ２８２はまた、（たとえば、フレームのプリアンブル中のＣＥＦを使用して）チャネル推定を実行し、チャネル推定に基づいて、受信された信号に対してチャネル等化を実行し得る。
【００５１】
[0069]受信プロセッサ２８２はまた、フレームのヘッダから情報（たとえば、ＭＣＳ方式）を復元し、コントローラ２７４に情報を送り得る。チャネル等化を実行した後、受信プロセッサ２８２は、フレームからデータシンボルを復元し、さらなる処理のために受信データプロセッサ２８４に復元されたデータシンボルを出力し得る。受信プロセッサ２８２は他の処理を実行し得ることを諒解されたい。
【００５２】
[0070]受信データプロセッサ２８４は、受信プロセッサ２８２からデータシンボルを受信し、コントローラ２７４から対応するＭＣＳ方式の指示を受信する。受信データプロセッサ２８４は、示されたＭＣＳ方式に従ってデータを復元するために、データシンボルを復調および復号し、記憶および／またはさらなる処理のためにデータシンク２８６に復元されたデータ（たとえば、データビット）を出力する。
【００５３】
[0071]上記で説明されたように、アクセスポイント２１０または別のアクセス端末は、ＯＦＤＭ送信モードまたはＳＣ送信モードを使用してデータを送信し得る。この場合、受信プロセッサ２８２は、選択された送信モードに従って受信信号を処理し得る。また、上記で説明されたように、送信プロセッサ２２４は、多出力多入力（ＭＩＭＯ）送信をサポートし得る。この場合、アクセス端末２２０は、複数のアンテナ２７０−１〜２７０−Ｎと複数のトランシーバ２６６−１〜２６６−Ｎ（たとえば、アンテナ２７０−１〜２７０−Ｎの各々について１つ）とを含む。トランシーバ２６６−１〜２６６−Ｎの各々は、それぞれのアンテナからの信号を受信および処理（たとえば、周波数ダウンコンバート、増幅、フィルタ処理、およびデジタルに変換）する。受信プロセッサ２８２は、データシンボルを復元するために、トランシーバ２６６−１〜２６６−Ｎの出力に対して空間処理を実行し得る。
【００５４】
[0072]図２に示されているように、アクセスポイント２１０は、コントローラ２３４に結合されたメモリ２３６をも備える。メモリ２３６は、コントローラ２３４によって実行されたとき、本明細書で説明される動作のうちの１つまたは複数をコントローラ２３４に実行させる命令を記憶し得る。同様に、アクセス端末２２０は、コントローラ２７４に結合されたメモリ２７６をも備える。メモリ２７６は、コントローラ２７４によって実行されたとき、本明細書で説明される動作のうちの１つまたは複数をコントローラ２７４に実行させる命令を記憶し得る。
【００５５】
拡張フレームに共通のフレームフォーマット
[0073]図３Ａ〜図３Ｄは、本開示のいくつかの態様による、例示的なフレーム３００、３１０、３２０、および３３０を示す。フレーム３００、３１０、３２０、および３３０の各々は、レガシーショートトレーニングフィールド（Ｌ−ＳＴＦ）と、レガシーチャネル推定フィールド（ＣＥＦ）と、レガシーヘッダ（Ｌ−ヘッダ）とを備える。後方互換性の目的で、Ｌ−ＳＴＦ、Ｌ−ＣＥＦ、およびＬ−ヘッダは、ＩＥＥＥ８０２．１１ａｄなど、レガシープロトコルの下で動作する受信デバイス（たとえば、ユーザデバイス１０６）によって復号され得る。提案された新しい８０２．１１ａｙプロトコルの下での新しいフレーム３００、３１０、３２０、および３３０に関して、レガシーデバイスは、送信衝突回避の目的で新しいフレームの長さを決定するためにネットワーク割振りベクトル（ＮＡＶ）を計算するために、新しいフレーム３００、３１０、３２０、および３３０の各々の８０２．１１ａｄプリアンブル（Ｌ−ＳＴＦおよびＬ−ＣＥＦ）とヘッダ部分（Ｌ−ヘッダ）とを復号し得る。
【００５６】
[0074]例示的なフレーム３００、３１０、３２０、および３３０の各々は、付加データを有し得る拡張指向性マルチギガビット（ＥＤＭＧ）ヘッダをさらに備える。ＥＤＭＧヘッダは、新しいフレーム３００、３１０、３２０、および３３０に関する情報を与える。さらに、データペイロードの一部または全体が、上記で説明されたように、ＥＤＭＧヘッダに付加され得る。
【００５７】
[0075]ＥＤＭＧヘッダは、（１）フレームのデータペイロード長と、（２）フレームのＥＤＭＧヘッダに付加されたＬＤＰＣデータブロックの数と、（３）フレーム中で送信される空間ストリーム数と、（４）フレーム中のボンディングされたチャネルの数と、（５）ボンディングされたチャネルの第１の（最低周波数）チャネルを示すチャネルオフセットと、（６）８０２．１１ａｙデータペイロード中のデータのために使用されるＭＣＳと、（７）８０２．１１ａｙデータペイロード中の各データ（ＦＦＴ）ブロック中のガードインターバル（ＧＩ）の長さ（ショート、ノーマル、またはロング）と、（８）１１ａｙデータペイロード中のデータ（ＦＦＴ）ブロックの長さ（ショートまたはロング）と、（９）１１ａｙデータペイロード中のデータ（ＦＦＴ）ブロック中の（１つまたは複数の）符号化された（ＬＤＰＣ）ブロックの長さ（ショートまたはロング）と、（１０）ＭＩＭＯのためのロング８０２．１１ａｙ  ＣＥＦシーケンスをシグナリングするためのロングＣＥＦフィールドと、（１１）複数のボンディングされたチャネルを介して送信されるＷＢ−ＳＣ送信モードフレームのための、Ｌ−ＳＴＦ、Ｌ−ＣＥＦ、Ｌ−ヘッダ、および付加データをもつＥＤＭＧヘッダと、８０２．１１ａｙ部分（ＳＴＦ、すなわち、ＡＧＣ＋初期タイミング、ＣＥＦ、データペイロード）との間の電力差を示すための電力差フィールドと、（１２）予約済みビットと、（１３）プロプライエタリビットと、（１４）ＣＲＣフィールドとを含み得る。
【００５８】
[0076]新しいフレーム３１０、３２０、および３３０の各々は、３つのセクション、すなわち、（ＮＧ６０  ＳＴＦとも呼ばれる）ＥＤＭＧ  ＳＴＦ、（ＮＧ６０  ＣＥＳとも呼ばれる）ＥＤＭＧ  ＣＥＦ、およびＥＤＭＧデータペイロードを含み得る８０２．１１ａｙ部分を含む。８０２．１１ａｙ部分は、随意のビームトレーニングシーケンス（ＴＲＮ）をも含み得る。ＥＤＭＧ  ＳＴＦは、（レガシーＳＴＦの場合のように）ゴレイ符号を使用して構築され得る。この期間中に、受信機は、自動利得制御（ＡＧＣ）、タイミングおよび周波数収集を完了することが予想される。ＥＤＭＧ  ＳＴＦは、８０２．１１ａｄと同じ順序でＧａおよびＧｂを使用し得る。随意に、ゴレイ符号は、長さが（８０２．１１ａｄの場合のように）１２８、あるいは２５６または５１２であり得る。ＥＤＭＧ  ＣＥＦはまた、８０２．１１ａｄのＬ−ＣＥＦシーケンスと同じゴレイ構成を使用して構築され、１２８個のシーケンスを、ダブルチャネルの場合は２５６個のシーケンスと、トリプルおよびクワッドチャネルの場合は５１２個のシーケンスと、ならびに５〜８チャネルの場合は１０２４個と置き換えるにすぎないことがある。
【００５９】
[0077]ＥＤＭＧデータペイロードは、以下の変更とともに、８０２．１１ａｄプロトコルと同様のＭＳＣを使用して変調および符号化され得る：（１）ＢＰＳＫ、ＱＰＳＫおよび１６ＱＡＭに加えて、より高い変調、すなわち、６４ＱＡＭ、６４ＡＰＳＫ、１２８ＡＰＳＫ、２５６ＱＡＭ、および２５６ＡＰＳＫが定義される（使用され得る）、（２）データシンボル（ＦＦＴ）ブロックが、（８０２．１１ａｄの場合のように）５１２、あるいは１０２４、１５３６、または２０４８であり得る、（３）ガードインターバル（ＧＩ）が、同じく、８０２．１１ａｄの場合のようにゴレイ符号であり、より多くの長さオプション、すなわち、（８０２．１１ａｄの場合のように）６４、３２、９６、１２８、１９２、２５６、３８４、または５１２がサポートされ得る。
【００６０】
[0078]図３Ａに示されている例示的なフレーム３００は、シングルチャネルの場合の８０２．１１ａｙの拡張である。フレーム３００は、レガシープリアンブル（Ｌ−ＳＴＦおよびＬ−ＣＥＦ）と、レガシーヘッダ（Ｌ−ヘッダ）と、新しいＥＤＭＧヘッダとを備える。フレーム３００は、８０２．１１ａｙ  ＳＴＦ（ＥＤＭＧ  ＳＴＦ）およびデータペイロードの送信を用いて８０２．１１ａｙプロトコルの新しいＭＣＳを可能にする。シングルチャネルの場合、チャネルを再推定する必要がない（すなわち、レガシーＬ−ＣＥＦが使用される）ので、８０２．１１ａｙ  ＣＥＦ（ＥＤＭＧ  ＣＥＦ）は存在しないことに留意されたい。受信機が、８０２．１１ａｙ変調のより高いコンスタレーションのために受信機チェーンセットアップを改善し得るので、ＥＤＭＧ  ＳＴＦは存在する。
【００６１】
[0079]図３Ｂに示されている例示的なフレーム３１０は、２チャネルボンディングの場合の８０２．１１ａｙの拡張である。フレーム３１０は、レガシープリアンブル（Ｌ−ＳＴＦおよびＬ−ＣＥＦ）と、Ｌ−ヘッダと、ＥＤＭＧヘッダとを送信するための第１の（レガシー）チャネル（たとえば、ＣＨ１）を備える。フレーム３１０は、レガシープリアンブル（Ｌ−ＳＴＦおよびＬ−ＣＥＦ）と、Ｌ−ヘッダと、ＥＤＭＧヘッダとを送信するための第２の（レガシー）チャネル（たとえば、ＣＨ２）をさらに備える。第１のチャネル（ＣＨ１）のＥＤＭＧヘッダの後に来る付加データは、第２のチャネル（ＣＨ２）のＥＤＭＧヘッダの後に来る付加データとは異なり得ることに留意されたい。ＥＤＭＧヘッダの情報フィールドは、前に説明されたＥＤＭＧヘッダフォーマットに従って構成され得る。フレーム３１０の８０２．１１ａｙ部分、すなわち、ＥＤＭＧ  ＳＴＦ、ＥＤＭＧ  ＣＥＦ、ＥＤＭＧデータペイロード、および随意のＴＲＮは、第１および第２のチャネルの各々の少なくとも一部分を備えるボンディングされたチャネル（たとえば、ＣＨ１＋ＣＨ２）を介して送信される。前に説明されたように、Ｌ−ＳＴＦ  ＡＮＤ  Ｌ−ＣＥＦ、Ｌ−ヘッダ、およびＥＤＭＧヘッダの送信は、レガシー８０２．１１ａｄにおいて指定されているＭＣＳを使用し、８０２．１１ａｙ部分（ＥＭＤＧ  ＳＴＦ、ＥＤＭＧ  ＣＥＦ、およびデータペイロード）の送信は、レガシー８０２．１１ａｄにおいて指定されているＭＣＳとは異なり得る、８０２．１１ａｙにおいて指定されているＭＣＳを使用する。
【００６２】
[0080]図３Ｃに示されている例示的なフレーム３２０は、３チャネルボンディングの場合（たとえば、ＣＨ１＋ＣＨ２＋ＣＨ３）の８０２．１１ａｙフレームの拡張である。図３Ｄに示されている例示的なフレーム３３０は、４チャネルボンディングの場合（たとえば、ＣＨ１＋ＣＨ２＋ＣＨ３＋ＣＨ４）の８０２．１１ａｙフレームの拡張である。図３Ａ〜図３Ｄから、フレームフォーマットは任意の数のチャネル（たとえば、５つ、６つまたは７つのチャネル）に拡張可能であることが明らかである。
【００６３】
[0081]図３Ｅは、本開示のいくつかの態様による、例示的なフレーム３００、３１０、３２０、および３３０のうちのいずれかのための例示的な送信電力プロファイルを示す。この例では、アグリゲートチャネルのＬ−ＳＴＦ、Ｌ−ＣＥＦ、Ｌ−ヘッダ、および（付加データをもつ）ＥＤＭＧヘッダのための送信電力は、ピーク対平均電力比（ＰＡＰＲ）を低減するためにバックオフされる。８０２．１１ａｙ部分（ＥＤＭＧ  ＳＴＦ、ＥＤＭＧ  ＣＥＦ、およびデータペイロード）のための送信電力は、受信機におけるより良い検出のために増加される。電力差はＥＤＭＧヘッダ中で示され得る。また、Ｌ−ヘッダが、電力差を示す情報を含むように改変され得る。たとえば、この情報は、Ｌ−ヘッダのデータ長フィールドの最下位ビット（ＬＳＢ）に、および／またはＬ−ヘッダの予約済みビットフィールドに含められ得る。
【００６４】
[0082]図３Ｅ中の送信電力プロファイルから延びる垂直破線は、本開示のいくつかの態様による、異なる電力レベル間の遷移を示す。この例では、各フレームのＬ−ＳＴＦ、Ｌ−ＣＥＦ、Ｌ−ヘッダ、および（付加データをもつ）ＥＤＭＧヘッダのための送信電力は、８０２．１１ａｙ部分（ＥＤＭＧ  ＳＴＦ、ＥＤＭＧ  ＣＥＦ、およびデータペイロード）のための送信電力よりも低い。いくつかの態様では、破線の左側の各フレームの部分は、各チャネルのためのＳＣ送信モードを使用して送信され得る。これは、レガシーデバイスとの後方互換性のために行われ得る。破線の右側の各フレームの部分（８０２．１１ａｙ部分）は、ＯＤＦＭ送信モードを使用して送信され得る。
【００６５】
[0083]例示的なフレーム３１０、３２０および３３０は、シングルユーザＭＩＭＩＯ（ＳＵ−ＭＩＭＯ）とマルチユーザＭＩＭＯ（ＭＵ−ＭＩＭＯ）とをサポートするために拡張され得る。ＭＩＭＯの場合では、ＥＤＭＧ  ＳＴＦおよびＥＤＭＧ  ＣＥＦは異なり得、（ＥＤＭＧヘッダ−Ｂと呼ばれる）追加のヘッダが、ＭＩＭＯをサポートするために追加され得る。
【００６６】
[0084]図４Ａ〜図４Ｃは、本開示のいくつかの態様による、非隣接（不連続）チャネル上での送信のための例示的なフレーム４１０、４２０、および４３０を示す。フレーム４１０、４２０、および４３０の各々は、後方準拠（backwards compliant）であるために、レガシー８０２．１１ａｄプリアンブル（Ｌ−ＳＴＦおよびＬ−ＣＥＦ）とＬ−ヘッダとをプレフィックスとして維持し得る。レガシー８０２．１１ａｄプリアンブル（Ｌ−ＳＴＦおよびＬ−ＣＥＦ）およびＬ−ヘッダは、以下でさらに説明されるように、ピーク対平均電力比（ＰＡＲＰ）を低減するために、何らかのバックオフを用いて送信され得る。
【００６７】
[0085]この例では、フレーム４１０は、提案された新しいプロトコル（８０２．１１ａｙ）による、２チャネルアグリゲート（非隣接）フレームの一例である。フレーム４１０の送信は、Ｌ−ＳＴＦと、Ｌ−ＣＥＦと、Ｌ−ヘッダと、随意の付加データをもつＥＤＭＧヘッダと、ＥＤＭＧ  ＳＴＦと、ＥＤＭＧ  ＣＥＦと、データペイロードと、随意のＴＲＮとを含む第１のチャネル（ＣＨ１）送信を備える。第１のチャネル（ＣＨ１）は、実質的に１．７６ＧＨｚの帯域幅を有し得る。フレーム４１０の送信は、Ｌ−ＳＴＦと、Ｌ−ＣＥＦと、Ｌ−ヘッダと、随意の付加データをもつＥＤＭＧヘッダと、ＥＤＭＧ  ＳＴＦと、ＥＤＭＧ  ＣＥＦと、データペイロードと、随意のＴＲＮとを含む第３のチャネル（ＣＨ３）送信をさらに備える。第１および第３のチャネル（ＣＨ１およびＣＨ３）におけるレガシープリアンブルおよびヘッダの送信は、８０２．１１ａｄ後方互換性のためのものである。第１のチャネル（ＣＨ１）のためのＥＤＭＧヘッダに付加されたデータは、第３のチャネル（ＣＨ３）のＥＤＭＧヘッダに付加されたデータとは異なり得る。第３のチャネル（ＣＨ３）も、１．７６ＧＨｚの帯域幅を有し得る。フレーム４１０は、チャネルＣＨ２およびＣＨ４を介した送信を含まない。
【００６８】
[0086]フレーム４２０は、提案された新しいプロトコル（８０２．１１ａｙ）による、２チャネルアグリゲート（非隣接）フレームの一例である。フレーム４１０と同様に、フレーム４２０の送信は、Ｌ−ＳＴＦと、Ｌ−ＣＥＦと、Ｌ−ヘッダと、随意の付加データをもつＥＤＭＧヘッダと、ＥＤＭＧ  ＳＴＦと、ＥＤＭＧ  ＣＥＦと、データペイロードと、随意のＴＲＮとを含む第１のチャネル（ＣＨ１）送信を備える。フレーム４２０の送信は、Ｌ−ＳＴＦと、Ｌ−ＣＥＦと、Ｌ−ヘッダと、随意の付加データをもつＥＤＭＧヘッダと、ＥＤＭＧ  ＳＴＦと、ＥＤＭＧ  ＣＥＦと、データペイロードと、随意のＴＲＮとを含む第４のチャネル（ＣＨ４）送信をさらに備える。フレーム４２０は、チャネルＣＨ２およびＣＨ３を介した送信を含まない。
【００６９】
[0087]フレーム４３０は、提案された新しいプロトコル（８０２．１１ａｙ）による、２チャネルアグリゲート（非隣接）フレームの一例である。フレーム４３０の送信は、Ｌ−ＳＴＦと、Ｌ−ＣＥＦと、Ｌ−ヘッダと、随意の付加データをもつＥＤＭＧヘッダと、ＥＤＭＧ  ＳＴＦと、ＥＤＭＧ  ＣＥＦと、データペイロードと、随意のＴＲＮとを含む第２のチャネル（ＣＨ２）送信を備える。フレーム４３０の送信は、Ｌ−ＳＴＦと、Ｌ−ＣＥＦと、Ｌ−ヘッダと、随意の付加データをもつＥＤＭＧヘッダと、ＥＤＭＧ  ＳＴＦと、ＥＤＭＧ  ＣＥＦと、データペイロードと、随意のＴＲＮとを含む第４のチャネル（ＣＨ４）送信をさらに備える。フレーム４３０は、チャネルＣＨ１およびＣＨ３を介した送信を含まない。
【００７０】
[0088]図４Ｄは、本開示のいくつかの態様による、例示的なフレーム４１０、４２０および４３０のうちのいずれかのための例示的な送信電力プロファイルを示す。この例では、アグリゲートチャネルのＬ−ＳＴＦ、Ｌ−ＣＥＦ、Ｌ−ヘッダ、および（付加データをもつ）ＥＤＭＧヘッダのための送信電力は、ピーク対平均電力比（ＰＡＰＲ）を低減するためにバックオフされる。８０２．１１ａｙ部分（ＥＤＭＧ  ＳＴＦ、ＥＤＭＧ  ＣＥＦ、およびデータペイロード）のための送信電力は、受信機におけるより良い検出のために増加される。図４Ｄ中の送信電力プロファイルから延びる垂直破線は、本開示のいくつかの態様による、異なる電力レベル間の遷移を示す。この例では、破線の左側の送信電力は、破線の右側の送信電力よりも低い。
【００７１】
[0089]図４Ｅおよび図４Ｆは、本開示のいくつかの態様による、追加の例示的なフレーム４４０および４５０を示す。これらのフレーム４４０および４５０の各々は、ボンディングされたチャネルと非隣接シングルチャネルとを介した送信を含む。たとえば、フレーム４４０の送信は、非隣接シングルチャネルＣＨ１を介した第１の送信と、ボンディングされたチャネルＣＨ３＋ＣＨ４を介した第２の送信とを含む。この例では、チャネルＣＨ２を介した送信はない。フレーム４４０の送信は、別個のチャネルＣＨ３およびＣＨ４を介したレガシー部分（Ｌ−ＳＴＦ、Ｌ−ＣＥＦ、およびＬ−ヘッダ）とＥＤＭＧヘッダとの時間整合送信を含む。フレーム４４０の送信は、周波数ボンディングされたチャネルＣＨ３＋ＣＨ４を介した、ＥＤＭＧ  ＳＴＦと、ＥＤＭＧ  ＣＥＦと、データペイロードとの送信をも含む。
【００７２】
[0090]フレーム４５０の送信は、ボンディングされたチャネルＣＨ１＋ＣＨ２を介した第１の送信と、シングル非隣接チャネルＣＨ４を介した第２の送信とを含む。この例では、チャネルＣＨ３を介した送信はない。フレーム４５０の送信は、別個のチャネルＣＨ１およびＣＨ２を介したレガシー部分（Ｌ−ＳＴＦ、Ｌ−ＣＥＦ、およびＬ−ヘッダ）とＥＤＭＧヘッダとの時間整合送信を含む。フレーム４５０の送信は、周波数ボンディングされたチャネルＣＨ１＋ＣＨ２を介した、ＥＤＭＧ  ＳＴＦと、ＥＤＭＧ  ＣＥＦと、データペイロードとの送信をも含む。
【００７３】
[0091]図４Ｇは、本開示のいくつかの態様による、例示的なフレーム４４０および４５０のうちのいずれかのための例示的な送信電力プロファイルを示す。この例では、アグリゲートチャネルのＬ−ＳＴＦ、Ｌ−ＣＥＦ、Ｌ−ヘッダ、および（付加データをもつ）ＥＤＭＧヘッダのための送信電力は、ピーク対平均電力比（ＰＡＰＲ）を低減するためにバックオフされる。８０２．１１ａｙ部分（ＥＤＭＧ  ＳＴＦ、ＥＤＭＧ  ＣＥＦ、およびデータペイロード）のための送信電力は、受信機におけるより良い検出のために増加される。図４Ｇ中の送信電力プロファイルから延びる垂直破線は、本開示のいくつかの態様による、異なる電力レベル間の遷移を示す。この例では、破線の左側の送信電力は、破線の右側の送信電力よりも低い。
【００７４】
サブキャリアの再チャネル化
[0092]ＩＥＥＥ８０２．１１ａｄ規格は４つのチャネルと２つの送信モードとを定義し、１つの送信モードは上記で説明されたＯＦＤＭ送信モードである。各チャネルにおいて、ＯＦＤＭサンプリングレートは、５１２の高速フーリエ変換（ＦＦＴ）を使用して２．６４ＧＨｚである。したがって、ＯＦＤＭサブキャリアは、５．１５６２５ＭＨｚ（２．６４ＧＨｚ／５１２）間隔で離間され、サブキャリアのうちの１つは正確にチャネル中心周波数にある。これが図５に示されており、図５は、８０２．１１ａｄ規格に従うチャネル５００のうちの１つのためのサブキャリアを示す。図５中の水平軸は周波数に対応し、ＯＦＤＭサブキャリアの間隔はΔＦによって示される。図５に示されているように、サブキャリアのうちの１つ（インデックス０）はチャネル５００の中心周波数（ＣＦ：center frequency）に位置する。図５では、チャネル５００の中心周波数におけるサブキャリアは矩形によって表され、チャネル５００の他のサブキャリアは卵形によって表される。さらなる詳細は、たとえば、ＩＥＥＥ  Ｐ８０２．１１ａｄ／Ｄ９．０、２０１２年７月、セクション２１．３．４および２１．５．３．２．６において見つけられ得る。
【００７５】
[0093]図６は、８０２．１１ａｄ規格に従うすべての４つのチャネル６００のためのサブキャリアを示し、ここで、水平軸は周波数に対応する。図６では、各チャネルの中心周波数におけるサブキャリアは矩形によって表され、各チャネルの他のサブキャリアは卵形によって表される。チャネル間隔は２．１６ＧＨｚ（すなわち、２つの隣接チャネルの中心周波数間の間隔）である。チャネル間隔はサブキャリア間隔の整数倍ではない。これは、チャネル間隔をサブキャリア間隔で除算し（２．１６ＧＨｚ／５．１５６２５ＭＨｚ＝４１８．９０９０９０９０９０９．．．）、その結果、非整数が生じることによって証明され得る。したがって、２つの隣接チャネルのエッジサブキャリア間の間隔はサブキャリア間隔の整数倍ではない。より詳細には、２つの隣接チャネルのエッジサブキャリア間の間隔は、２１６０−３５４＊ΔＦ＝３３４．６８７５ＭＨｚであり、これは、６４．９０９０９０９０９０９０９．．．×ΔＦ（サブキャリア間隔）に等しい。これが図６に示されている。
【００７６】
[0094]６０ＧＨｚ帯域のための新しい８０２．１１ａｙ規格では、上記で説明されたように、リンクスループットを増加させるためにチャネルボンディングが使用されることになる。しかしながら、チャネル間隔がサブキャリア間隔の非整数倍であることは、単一の高速フーリエ変換（ＦＦＴ）を用いて２つまたはそれ以上のチャネルを処理する能力を制限する。
【００７７】
[0095]これに対処するために、本開示のいくつかの態様によれば、すべての帯域中のサブキャリアが同じ周波数グリッド上にあるように再定義され得る。周波数グリッドは複数の均等に離間された周波数位置を備え得、ここで、各サブキャリアは、グリッド上の周波数位置の各々と整合される。これの一例が図７に示されており、図７は、すべてのチャネル（この例では４つのチャネル）のための例示的な周波数グリッド７００を示す。周波数グリッド７００は、（５．１５６２５ＭＨｚであり得るサブキャリア間隔だけ離間された）均等に離間された周波数位置を備える。各チャネルのためのサブキャリアは、周波数グリッド７００上のそれぞれの周波数位置と整合される。図７中の例では、チャネルの中心周波数は、５８３１９．５３１２５、６０４８０、６２６４０．４６８７５および６４８００．９３７５ＭＨｚであるが、本開示はこの例に限定されないことを諒解されたい。チャネルのサブキャリアを周波数グリッド７００と整合させることによって、２つの隣接チャネルのエッジサブキャリア間の間隔は、サブキャリア間隔の整数倍（図７中の例では６５）になる。図７に示されているように、チャネル間のギャップ中の追加のサブキャリアも、周波数グリッド７００上のそれぞれの周波数位置と整合され得る。これは、以下でさらに説明されるように、（図７に示されているチャネルのうちの２つまたはそれ以上とギャップのうちの１つまたは複数とを備え得る）ボンディングされたチャネルのサブキャリアが、均等に離間され、単一のＦＦＴを用いて処理されることを可能にする。図７では、各チャネルの中心周波数におけるサブキャリアは矩形によって表され、各チャネルの他のサブキャリアは卵形によって表される。
【００７８】
[0096]レガシー８０２．１１ａｄ規格は変更されないことがあるので、サブキャリア周波数は、フレームの８０２．１１ａｙ部分（たとえば、ＥＤＭＧ  ＳＴＦ、ＥＤＭＧ  ＣＥＦおよびデータペイロード）についてのみ再定義され得る。この点について、８０２．１１ａｙフレーム（たとえば、図３Ａ〜図３Ｄ、図４Ａ〜図４Ｃ、図４Ｅおよび図４Ｆ中のフレームのうちのいずれか１つ）のレガシー部分は、レガシー（８０２．１１ａｄ）チャネル中心周波数５８．３２、６０．４８、６２．６４および６４．８０ＧＨｚを使用して（たとえば、ＳＣモードで）送信され得る。
【００７９】
[0097]この点について、送信機は、レガシーチャネル中心周波数を使用して８０２．１１ａｙフレームのレガシー部分を送信し得る。送信機は、次いで、（たとえば、図７に示されている）再定義されたチャネル中心周波数およびサブキャリア周波数を使用して８０２．１１ａｙ部分を送信するために、（たとえば、チャネル同士のボンディングに依存する）それの中心周波数に従って小さい周波数シフトを実行し得る。
【００８０】
[0098]同様に、受信機は、レガシーチャネル中心周波数を使用して８０２．１１ａｙフレームのレガシー部分を受信し得る。受信機は、次いで、再定義されたチャネル中心周波数およびサブキャリア周波数を使用して８０２．１１ａｙ部分を受信するために、（たとえば、チャネル同士のボンディングに依存する）それの中心周波数に従って小さい周波数シフトを実行し得る。周波数シフト（変更）は、たいていの受信機が（たとえば、送信機と受信機との間のキャリア周波数オフセットを補正するための）周波数補正のためにすでに有する小さい回転ユニットによって、受信された信号に対して実行され得る。したがって、たいていの受信機では、周波数シフトはハードウェア影響をほとんどまたはまったく有しないことがある。周波数シフトは、以下でさらに説明されるように、いくつかの実施形態ではサブキャリア間隔の１／２（約２．５ＭＨｚ）または１ＭＨｚ未満に制限され得る。したがって、周波数シフトは小さいことがある。
【００８１】
[0099]この点について、図８は、レガシーサブキャリア周波数（最上行）と、再定義されたサブキャリア周波数周波数の一例（最下行）とを示す。図８は、レガシーチャネル中心周波数５８．３２、６０．４８、６２．６４および６４．８０ＧＨｚをも示す。この例では、受信機は、レガシーチャネル中心周波数を使用して８０２．１１ａｙフレームの第１の部分を受信し得る。フレームの第１の部分は、Ｌ−ＳＴＦと、Ｌ−ＣＥＦと、Ｌ−ヘッダと、ＥＤＭＧヘッダとを含み得る。受信機は、次いで、再定義されたチャネル中心周波数およびサブキャリア周波数を使用して８０２．１１ａｙフレームの第２の部分を受信するために、周波数シフトを実行し得る。フレームの第２の部分は、ＥＤＭＧ  ＳＴＦと、ＥＤＭＧ  ＣＥＦと、データペイロードとを含み得る。図８では、各チャネルの中心周波数におけるサブキャリアは矩形によって表され、各チャネルの他のサブキャリアは卵形によって表される。図８に示されているように、必要とされる周波数シフトは小さい。
【００８２】
[00100]各チャネルのためのレガシー８０２．１１ａｄサブキャリアは、ＣＦｉ＋（−１７７．．．１７７）＊５．１５６２５ＭＨｚに位置し、ただし、ＣＦｉはチャネルの中心周波数である。たとえば、ＣＨ１の場合、サブキャリア周波数は、５７．４０７３４３７５、５７．４１２５．．．５９．２２７５、５９．２３２６５６２５ＧＨｚである。いくつかの態様では、ＣＨ２のためのレガシー中心周波数は、簡単のために所定の位置にあるように保たれ、他のチャネルの中心周波数が再定義される（ただし、チャネルのうちの別の１つの中心周波数が、代わりに所定の位置にあるように保たれ得ることを諒解されたい）。これは、周波数グリッド７００の周波数位置のうちの１つをＣＨ２のためのレガシー中心周波数と整合させることによって達成され得る（その一例が図８に示されている）。このオプションは、帯域全体にわたって１ＭＨｚ未満の最大周波数シフトを生じる。
【００８３】
[00101]この例では、ＯＦＤＭのためのＣＨ１、ＣＨ３およびＣＨ４のための新しい中心周波数は、ＣＨ２中心周波数からの−４１９、４１９および２＊４１９ＳＣＳのオフセットによって算出され、ただし、ＳＣＳはサブキャリア間隔である。すべてのチャネルの中心周波数は、５８３１９．５３１２５、６０４８０、６２６４０．４６８７５および６４８００．９３７５ＭＨｚである。この例では、ＳＣＳ（サブキャリア間隔）は２６４０／５１２ＭＨｚとして定義され、各チャネルのための（ｉによって示す）ＯＦＤＭサブキャリアインデックスは−１７７．．．１７７である。したがって、この例では、４つのチャネルのためのサブキャリア周波数（Ｆｉ）は以下のようになる。
【００８４】
【数１】
2020039132.tif 000003
【００８５】
[00102]図８は、上記の例を使用する再チャネル化の一例を示す。８０２．１１ａｄサブキャリア周波数（最上行）も参照のために示されている。チャネル間のギャップ中のサブキャリアを含む、８０２．１１ａｙ行（最下行）上のサブキャリアのすべては、ΔＦだけ均等に離間される。ＣＨ２中のサブキャリアを除くすべてのサブキャリアが８０２．１１ａｄサブキャリアと整合されるとは限らないこと、およびＣＦが、（この例では意図的であるＣＨ２を除いて）いずれの８０２．１１ａｄサブキャリアにも整合されないことに留意されたい。
【００８６】
[00103]本開示は追加のチャネルに拡張され得る。たとえば、周波数グリッド７００は、５つ、６つ、７つまたはそれ以上のチャネルに拡張され得る。この例では、追加のチャネルのためのサブキャリア周波数（Ｆｉ）は以下のように与えられ得る。
【００８７】
【数２】
2020039132.tif 000004
【００８８】
上記の例では、追加のチャネル（ＣＨ５〜ＣＨ７）の各々の中心周波数は、ＣＨ２の中心周波数から４１９＊ＳＣＳの整数倍だけオフセットされる。これは、周波数グリッド７００が、この例ではＣＨ２のためのレガシー中心周波数と整合されるからである。しかしながら、周波数グリッド７００は、（たとえば、５つまたはそれ以上のチャネルの場合）別のレガシー中心周波数と整合され得ることを諒解されたい。たとえば、周波数グリッド７００は、６２６４０ＭＨｚであるＣＨ３のためのレガシー中心周波数と整合され得る。この例では、７つのチャネルのためのサブキャリア周波数（Ｆｉ）は以下のようになる。
【００８９】
【数３】
2020039132.tif 000005
【００９０】
別の例では、周波数グリッド７００は、６４８００ＭＨｚであるＣＨ４のためのレガシー中心周波数と整合され得る。
【００９１】
[00104]別の例では、チャネルの中心周波数間のオフセットは４１９ではなく４１８である。前の例と同じ記法を使用して、この例における４つのチャネルのためのサブキャリア周波数（Ｆｉ）は以下のようになる。
【００９２】
【数４】
2020039132.tif 000006
【００９３】
この例の利点は、４１８が素数でないことである。これは、サブキャリア上でパイロットを均等に離間させることをより容易にする。
【００９４】
[00105]図９は、上記の例を使用する再チャネル化の一例を示す。８０２．１１ａｄサブキャリア周波数（最上行）も参照のために示されている。チャネル間のギャップ中のサブキャリアを含む、８０２．１１ａｙ行（最下行）上のサブキャリアのすべては、ΔＦだけ均等に離間される。図９では、各チャネルの中心周波数におけるサブキャリアは矩形によって表され、各チャネルの他のサブキャリアは卵形によって表される。図９に示されているように、この例では、８０２．１１ａｙ上のチャネルＣＨ１、ＣＨ３およびＣＨ４のための中心周波数は、８０２．１１ａｄ上のチャネルＣＨ１、ＣＨ３およびＣＨ４のための中心周波数に対して内側にシフトされる。この例では、８０２．１１ａｙ上のＣＨ２のための中心周波数は８０２．１１ａｄ上のＣＨ２のための中心周波数と整合されるが、これは、そうである必要はないことを諒解されたい。この例では、最大周波数シフトは２＊ＳＣＳ未満であり得る。
【００９５】
[00106]上記で説明されたように、本開示は追加のチャネルに拡張され得る。たとえば、周波数グリッド７００は、５つ、６つ、７つまたはそれ以上のチャネルに拡張され得る。この例では、追加のチャネルのためのサブキャリア周波数（Ｆｉ）は以下のように与えられ得る。
【００９６】
【数５】
2020039132.tif 000007
【００９７】
上記の例では、追加のチャネル（ＣＨ５〜ＣＨ７）の各々の中心周波数は、ＣＨ２の中心周波数から４１８＊ＳＣＳの整数倍だけオフセットされる。これは、周波数グリッド７００が、この例ではＣＨ２のためのレガシー中心周波数と整合されるからである。しかしながら、周波数グリッド７００は、（たとえば、５つまたはそれ以上のチャネルの場合）別のレガシー中心周波数と整合され得ることを諒解されたい。たとえば、周波数グリッド７００は、６２６４０ＭＨｚであるＣＨ３のためのレガシー中心周波数と整合され得る。この例では、７つのチャネルのためのサブキャリア周波数（Ｆｉ）は以下のようになる。
【００９８】
【数６】
2020039132.tif 000008
【００９９】
別の例では、周波数グリッド７００は、６４８００ＭＨｚであるＣＨ４のためのレガシー中心周波数と整合され得る。
【０１００】
[00107]別の例では、チャネルの中心周波数間のオフセットは４１９ではなく４２０である。第１の例と同じ記法を使用して、この例における４つのチャネルのためのサブキャリア周波数（Ｆｉ）は以下のようになる。
【０１０１】
【数７】
2020039132.tif 000009
【０１０２】
この例の利点は、４２０が素数でないことである。これは、サブキャリア上でパイロットを均等に離間させることをより容易にする。
【０１０３】
[00108]図１０は、上記の例を使用する再チャネル化の一例を示す。８０２．１１ａｄサブキャリア周波数（最上行）も参照のために示されている。チャネル間のギャップ中のサブキャリアを含む、８０２．１１ａｙ行（最下行）上のすべてのサブキャリアは、ΔＦだけ均等に離間される。図１０では、各チャネルの中心周波数におけるサブキャリアは矩形によって表され、各チャネルの他のサブキャリアは卵形によって表される。図１０に示されているように、この例では、８０２．１１ａｙ上のチャネルＣＨ１、ＣＨ３およびＣＨ４のための中心周波数は、８０２．１１ａｄ上のチャネルＣＨ１、ＣＨ３およびＣＨ４のための中心周波数に対して外側にシフトされる。この例では、８０２．１１ａｙ上のＣＨ２のための中心周波数は８０２．１１ａｄ上のＣＨ２のための中心周波数と整合されるが、これは、そうである必要はないことを諒解されたい。この例では、最大周波数シフトは３＊ＳＣＳ未満であり得る。
【０１０４】
[00109]上記で説明されたように、本開示は追加のチャネルに拡張され得る。たとえば、周波数グリッド７００は、５つ、６つ、７つまたはそれ以上のチャネルに拡張され得る。この例では、追加のチャネルのためのサブキャリア周波数（Ｆｉ）は以下のように与えられ得る。
【０１０５】
【数８】
2020039132.tif 000010
【０１０６】
上記の例では、追加のチャネル（ＣＨ５〜ＣＨ７）の各々の中心周波数は、ＣＨ２の中心周波数から４２０＊ＳＣＳの整数倍だけオフセットされる。これは、周波数グリッド７００が、この例ではＣＨ２のためのレガシー中心周波数と整合されるからである。しかしながら、周波数グリッド７００は、（たとえば、５つまたはそれ以上のチャネルの場合）別のレガシー中心周波数と整合され得ることを諒解されたい。たとえば、周波数グリッド７００は、６２６４０ＭＨｚであるＣＨ３のためのレガシー中心周波数と整合され得る。この例では、７つのチャネルのためのサブキャリア周波数（Ｆｉ）は以下のようになる。
【０１０７】
【数９】
2020039132.tif 000011
【０１０８】
別の例では、周波数グリッド７００は、６４８００ＭＨｚであるＣＨ４のためのレガシー中心周波数と整合され得る。
【０１０９】
[00110]図１１は、異なるチャネルボンディング（ＣＢ）オプションの一例を示し、ここで、各行は、異なるＣＢオプションに対応する。たとえば、最上行１１１０は、すべての４つのチャネルがボンディングされる一例を示す。中央行１１２０は、３つのチャネルがボンディングされる例を示し、最下行１１３０は、２つのチャネルがボンディングされる例を示す。図１１に示されているように、２つまたはそれ以上の連続チャネルが使用されるとき、ＯＦＤＭサブキャリアのためのギャップをも使用することが可能である（および推奨される）（示唆された場合では、ギャップごとに６４個のサブキャリアが追加される）。ＣＢモードにおけるサブキャリアの番号付けは、既存の番号付け方式（ＣＢオプションごとに０が中心にある）と同様であるか、またはグローバル（ＣＦまたはＣＢにかかわらず、すべてのチャネルについて１つのインデックス付け）であり得る。これは、再チャネル化に対する影響を有しない。
【０１１０】
[00111]図１１は、上記で説明された例による、再定義されたチャネル中心周波数およびサブキャリア周波数をも示す。この例では、再定義されたチャネル中心周波数およびサブキャリア周波数は、ＣＢオプションのいずれかのために使用され得る。たとえば、チャネルＣＨ１、ＣＨ２およびＣＨ３がボンディングされるＣＢオプション（ＣＢ＝３、ＣＨ１＋ＣＨ２＋ＣＨ３）の場合、チャネルＣＨ１、ＣＨ２およびＣＨ３のための再定義されたサブキャリア周波数が、ＣＨ１とＣＨ２との間のギャップおよびＣＨ２とＣＨ３との間のギャップ中の追加のサブキャリア周波数と同様に使用され得る。この例では、ＣＨ２のためのサブキャリア周波数は、（そうである必要はないが）意図的にＣＨ２のためのレガシーサブキャリア周波数と同じである。別の例では、チャネルＣＨ３およびＣＨ４がボンディングされるＣＢオプション（ＣＢ＝２、ＣＨ３＋ＣＨ４）の場合、チャネルＣＨ３およびＣＨ４のための再定義されたサブキャリア周波数が、ＣＨ３とＣＨ４との間のギャップ中の追加のサブキャリア周波数と同様に使用され得る。
【０１１１】
[00112]本開示は、上記で説明された例に限定されないことを諒解されたい。周波数グリッド７００は、簡単のために図１１ではチャネルＣＨ２のためのレガシー中心周波数と整合されるが、本開示はこの例に限定されないことを諒解されたい。たとえば、周波数グリッド７００は、他のチャネル（すなわち、ＣＨ１、ＣＨ３またはＣＨ４）のうちのいずれか１つのレガシー中心周波数と整合され得る。別の例では、周波数グリッド７００は、チャネルのうちのいずれかのレガシー中心周波数と整合されないことがある。いずれの場合も、各チャネルのサブキャリアおよびギャップ中の追加のサブキャリアは周波数グリッドのそれぞれの周波数位置と整合され得、ここで、グリッドの周波数位置は（たとえば、サブキャリア間隔だけ）均等に離間される。
【０１１２】
[00113]図１２は、以下でさらに説明されるように、異なるチャネルボンディング（ＣＢ）オプションと、異なるＣＢオプションのための例示的な中心周波数とを示す。２チャネルボンディングの場合、中心周波数は、５９３９９．７６５６２５ＭＨｚ（ＣＨ１＋ＣＨ２）、６１５６０．２３４３７５ＭＨｚ（ＣＨ２＋ＣＨ３）、および６３７２０．７０３１２５ＭＨｚ（ＣＨ３＋ＣＨ４）であり得る。３チャネルボンディングの場合、中心周波数は、６０４８０ＭＨｚ（ＣＨ１＋ＣＨ２＋ＣＨ３）および６２６４０．４６８７５ＭＨｚ（ＣＨ２＋ＣＨ３＋ＣＨ４）であり得る。４チャネルボンディングの場合、中心周波数は、６１５６０．２３４３７５ＭＨｚであり得る。
【０１１３】
[00114]図１２に示されているように、上記で説明された中心周波数のうちのいくつかは、８０２．１１ａｄにおけるチャネル中心周波数に対応する。上記で説明された例における、８０２．１１ａｙにおいてのみ使用される中心周波数は、図１２に「ａｙのみ」として示されている。１つのチャネルのみが使用される場合（たとえば、図３Ａ中のフレーム３００）、図１２に示されているように、そのチャネルのためのレガシー中心周波数が使用され得る。
【０１１４】
[00115]本開示は、同じ周波数グリッドがすべてのＣＢオプションのために使用される例に限定されないことを諒解されたい。たとえば、選択されたＣＢオプションに応じて、異なる周波数グリッドが使用され得る。たとえば、図１２中の例に示されているＣＢオプションの各々は、それぞれの中心周波数と整合される周波数グリッドを使用し得る（すなわち、グリッドの周波数位置は、それぞれの中心周波数と整合される）。各グリッドの周波数位置は（たとえば、サブキャリア間隔だけ）均等に離間され得る。一例では、受信機は、どのＣＢオプションが使用されているか、したがって、（たとえば、フレームの８０２．１１ａｙ部分を受信するために）どのグリッドを使用すべきかを事前に知り得る。たとえば、送信機は、（たとえば、８０２．１１ａｙ部分の送信より前に）どのＣＢオプションが使用されているかを示すインジケータを受信機に送信し得る。インジケータは、フレームの前に送信され、および／またはフレームのＥＤＭＧ中のヘッダに含められ得る。
【０１１５】
[00116]上記で説明されたように、レガシーチャネル中心周波数は、チャネルのうちの１つまたは複数上で（Ｌ−ＳＴＦと、Ｌ−ＣＥＦと、Ｌ−ヘッダと、ＥＤＭＧヘッダとを含み得る）フレームの第１の部分を送信または受信するために使用され得る。送信機または受信機は、次いで、再定義されたチャネル中心周波数およびサブキャリア周波数を使用して８０２．１１ａｙフレームの第２の部分を送信または受信するために、それの中心周波数に従って周波数シフトを実行し得る。フレームの第２の部分は、（ＮＧ６０ペイロードと呼ばれることもある）８０２．１１ａｙ  ＥＤＭＧデータペイロードを含み得る。第２の部分は、ＥＤＭＧ  ＳＴＦとＥＤＭＧ  ＣＥＦとをも含み得る。
【０１１６】
[00117]周波数は、フレームの８０２．１１ａｙ部分の前に（たとえば、ＥＤＭＧヘッダおよび付加データの後に）変更され得る。変更は、８０２．１１ａｙ部分のＳＴＦ、またはＣＥＦまたはペイロードＧＩ（ガードインターバル）（いずれか最初であるもの）の開始と同期されるべきである。８０２．１１ａｙ部分中にＳＴＦとＣＥＦとを備えるフレームの例は、たとえば、その明細書全体が参照により本明細書に組み込まれる、「Frame Format for OFDM, SC WB, Aggregated SC, and Corresponding MIMO signals」と題する、２０１５年４月２９日に出願された米国仮出願第６２／１４７，４７９号に見つかり得る。
【０１１７】
[00118]送信機は、シフト（変更）のための周波数回転子を（それがすでに含まれていない場合）含むべきである。シフトのための範囲は、２で除算された−／＋サブキャリア間隔（たとえば、−２．５７８１２５ＭＨｚ．．．＋２．５７８１２５ＭＨｚ）またはより小さい範囲であり得る。周波数シフトは上述のように同期され得る。
【０１１８】
[00119]受信機は、（上記で提示されたように）４つのチャネルのうちの１つにまたは２つの隣接チャネルの中央で同調され得、レガシー部分（たとえば、Ｌ−ＳＴＦ、Ｌ−ＣＥＦおよびＬ−ヘッダ）とＥＤＭＧヘッダとを受信することができる。Ｌ−ＳＴＦ中に、受信機は周波数補正をロックし得る。８０２．１１ａｙ部分の直前に、受信機は、ＯＦＤＭシフトを補償するために周波数回転子周波数オフセットを更新すべきである。受信機は、ＯＦＤＭ中心ビンに対して、（Ｌ−ＣＥＦが使用される場合）ＣＥＦの周波数シフトを補償すべきである。この動作は、時間領域においてチャネルを推定する（ＣＥ）ゴレイ相関器によってＣＥＦが実行されるので、容易である。ＣＥが周波数領域に変換される前に、ＣＥは、シフトされるべき周波数において回転するフェーザによってシフトされ得る。ＣＥが８０２．１１ａｙ  ＣＥＦに対して実行される場合、ＣＥＦはシフトされた周波数に従って送信されることになるので、補償の必要はない。
【０１１９】
[00120]図１３は、本開示の態様による、ワイヤレス通信のための方法１３００を示すフローチャートである。方法１３００は、ワイヤレスノード中の送信機によって実行され得る。
【０１２０】
[00121]ステップ１３１０において、第１の部分と第２の部分とを備えるフレームを生成する。たとえば、フレームは、ワイヤレスノード（たとえば、アクセスポイント２１０またはアクセス端末２２０）のフレームビルダー２２２または２２６によって生成され得る。一例では、フレームは８０２．１１ａｙフレームであり得る。この例では、第１の部分は、Ｌ−ＳＴＦと、Ｌ−ＣＥＦと、Ｌ−ヘッダと、ＥＤＭＧヘッダとを備え得、第２の部分はペイロード（たとえば、ＥＤＭＧデータペイロード）を備え得る。第２の部分は、ＥＤＭＧ  ＳＴＦとＥＤＭＧ  ＣＥＦとをも含み得る。
【０１２１】
[00122]ステップ１３２０において、少なくとも１つのチャネル上での送信のためにフレームの第１の部分を出力する。たとえば、第１の部分（たとえば、８０２．１１ａｄ部分）は、上記で説明されたレガシーチャネル中心周波数を使用する、少なくとも１つのチャネル上での送信のために出力され得る。
【０１２２】
[00123]ステップ１３３０において、少なくとも１つのチャネルの中心周波数をシフトする。たとえば、中心周波数は、（たとえば、図６に示されている）レガシーチャネル中心周波数から（たとえば、図７に示されている）再定義されたチャネル中心周波数にシフトされ得る。
【０１２３】
[00124]ステップ１３４０において、中心周波数シフトの後に少なくとも１つのチャネル上での送信のためにフレームの第２の部分を出力する。たとえば、第２の部分（たとえば、８０２．１１ａｙ部分）は、上記で説明された再定義されたチャネル中心周波数を使用する、少なくとも１つのチャネル上での送信のために出力され得る。
【０１２４】
[00125]図１４は、本開示の態様による、ワイヤレス通信のための方法１４００を示すフローチャートである。方法１４００は、ワイヤレスノード中の受信機によって実行され得る。
【０１２５】
[00126]ステップ１４１０において、受信機を介して、少なくとも１つのチャネル上でフレームの第１の部分を受信する。たとえば、フレームは、８０２．１１ａｙフレームであり得、第１の部分は、Ｌ−ＳＴＦと、Ｌ−ＣＥＦと、Ｌ−ヘッダと、ＥＤＭＧヘッダとを備え得る。
【０１２６】
[00127]ステップ１４２０において、少なくとも１つのチャネルの中心周波数のシフトがシフトされた場合、受信機の周波数をシフトする。たとえば、受信機の周波数は、上記で説明されたように、周波数補正のために使用される受信機の受信経路において回転ユニットを使用してシフトされ得る。少なくとも１つのチャネルの中心周波数のシフトは、（たとえば、図６に示されている）レガシーチャネル中心周波数から（たとえば、図７に示されている）再定義されたチャネル中心周波数へのシフトであり得るである。
【０１２７】
[00128]ステップ１４３０において、受信機周波数シフトの後に、受信機を介して、少なくとも１つのチャネル上でフレームの第２の部分を受信する。
【０１２８】
[00129]ステップ１４４０において、第１の情報を取得するために、受信された第１の部分を処理する。たとえば、第１の情報は、（たとえば、第１の部分中のＬ−ＳＴＦを使用する）フレームタイミング情報、（たとえば、第１の部分中のＬ−ＣＥＦを使用する）チャネル推定値、（たとえば、第１の部分中のＬ−ヘッダを使用する）ヘッダ情報などを備え得る。
【０１２９】
[00130]ステップ１４５０において、第２の情報を取得するために、受信された第２の部分を処理する。第２の情報はデータ（たとえば、ＥＤＭＧペイロード）を備え得る。
【０１３０】
[00131]図１５は、本開示のいくつかの態様による、例示的なデバイス１５００を示す。デバイス１５００は、ワイヤレスノード（たとえば、アクセスポイント２１０またはアクセス端末２２０）において動作し、本明細書で説明される動作のうちの１つまたは複数を実行するように構成され得る。デバイス１５００は、処理システム１５２０と、プロセッサシステム１５２０に結合されたメモリ１５１０とを含む。メモリ１５１０は、処理システム１５２０によって実行されたとき、本明細書で説明される動作のうちの１つまたは複数を処理システム１５２０に実行させる命令を記憶し得る。処理システム１５２０の例示的な実装形態が以下で与えられる。デバイス１５００は、処理システム１５２０に結合された送信／受信機インターフェース１５３０をも備える。インターフェース１５３０（たとえば、インターフェースバス）は、無線周波数（ＲＦ）フロントエンド（たとえば、トランシーバ２２６−１〜２２６−Ｎまたは２２６−１〜２６６−Ｎ）に処理システム１５２０をインターフェースするように構成され得る。
【０１３１】
[00132]いくつかの態様では、処理システム１５２０は、本明細書で説明される動作のうちの１つまたは複数を実行するための、送信データプロセッサ（たとえば、送信データプロセッサ２１８または２６０）、フレームビルダー（たとえば、フレームビルダー２２２または２６２）、送信プロセッサ（たとえば、送信プロセッサ２２４または２６４）および／またはコントローラ（たとえば、コントローラ２３４または２７４）のうちの１つまたは複数を含み得る。
【０１３２】
[00133]アクセス端末２２０の場合、デバイス１５００は、処理システム１５２０に結合されたユーザインターフェース１５４０を含み得る。ユーザインターフェース１５４０は、（たとえば、キーパッド、マウス、ジョイスティックなどを介して）ユーザからデータを受信し、処理システム１５２０にデータを与えるように構成され得る。ユーザインターフェース１５４０はまた、（たとえば、ディスプレイ、スピーカーなどを介して）処理システム１５２０からユーザにデータを出力するように構成され得る。この場合、データは、ユーザに出力される前に、追加の処理を受け得る。アクセスポイント２１０の場合、ユーザインターフェース１５４０は省略され得る。
【０１３３】
[00134]第１の部分と第２の部分とを備えるフレームを生成するための手段の例は、フレームビルダー２２２または２６２と、送信データプロセッサ２１８または２６０と、コントローラ２３４または２７４と、処理システム１５２０とを含む。少なくとも１つのチャネル上での送信のためにフレームの第１の部分を出力するための手段の例は、送信プロセッサ２２４または２６４と、トランシーバ２２６−１〜２２６−Ｎまたは２６６−１〜２６６−Ｎと、送信／受信インターフェース１５３０とを含む。少なくとも１つのチャネルの中心周波数をシフトするための手段の例は、送信プロセッサ２２４または２６４と、トランシーバ２２６−１〜２２６−Ｎまたは２６６−１〜２６６−Ｎと、コントローラ２３４または２７４と、処理システム１５２０と、送信／受信インターフェース１５３０とを含む。中心周波数シフトの後に少なくとも１つのチャネル上での送信のためにフレームの第２の部分を出力するための手段の例は、送信プロセッサ２２４または２６４と、トランシーバ２２６−１〜２２６−Ｎまたは２６６−１〜２６６−Ｎと、送信／受信インターフェース１５３０とを含む。
【０１３４】
[00135]少なくとも１つのチャネル上でフレームの第１の部分を受信するための手段の例は、トランシーバ２２６−１〜２２６−Ｎまたは２６６−１〜２６６−Ｎと、受信プロセッサ２４２または２８２と、送信／受信インターフェース１５３０とを含む。少なくとも１つのチャネルの中心周波数がシフトされた場合、装置の受信機周波数をシフトするための手段の例は、トランシーバ２２６−１〜２２６−Ｎまたは２６６−１〜２６６−Ｎと、受信プロセッサ２４２または２８２と、コントローラ２３４または２７４と、処理システム１５２０と、送信／受信インターフェース１５３０とを含む。受信機周波数シフトの後に、少なくとも１つのチャネル上でフレームの第２の部分を受信するための手段の例は、トランシーバ２２６−１〜２２６−Ｎまたは２６６−１〜２６６−Ｎと、受信プロセッサ２４２または２８２と、送信／受信インターフェース１５３０とを含む。第１の情報を取得するために、フレームの受信された第１の部分を処理するための手段の例は、受信プロセッサ２４２または２８２と、受信データプロセッサ２４４または２８４と、コントローラ２３４または２７４と、処理システム１５２０とを含む。第２の情報を取得するために、フレームの受信された第２の部分を処理するための手段の例は、受信プロセッサ２４２または２８２と、受信データプロセッサ２４４または２８４と、コントローラ２３４または２７４と、処理システム１５２０とを含む。
【０１３５】
[00136]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示された動作がある場合、それらの動作は、同様の番号をもつ対応するカウンターパートのミーンズプラスファンクション構成要素を有し得る。
【０１３６】
[00137]いくつかの場合には、フレームを実際に送信するのではなく、デバイスは、送信のためにフレームを出力するためのインターフェース（出力するための手段）を有し得る。たとえば、プロセッサは、バスインターフェースを介して、送信のために無線周波数（ＲＦ）フロントエンドにフレームを出力し得る。同様に、フレームを実際に受信するのではなく、デバイスは、別のデバイスから受信されたフレームを取得するためのインターフェース（取得するための手段）を有し得る。たとえば、プロセッサは、バスインターフェースを介して、受信のためにＲＦフロントエンドからフレームを取得（または受信）し得る。
【０１３７】
[00138]本明細書で使用される「決定すること」という用語は、多種多様なアクションを包含する。たとえば、「決定すること」は、計算すること（calculating）、算出すること（computing）、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１３８】
[00139]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１３９】
[00140]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１４０】
[00141]本開示に関連して説明された方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【０１４１】
[00142]本明細書で開示された方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく改変され得る。
【０１４２】
[00143]説明された機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。アクセス端末（たとえば、アクセス端末２２０）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野でよく知られており、したがってこれ以上説明されない。
【０１４３】
[00144]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【０１４４】
[00145]ハードウェア実装形態では、機械可読媒体は、プロセッサとは別個の処理システムの一部であり得る。しかしながら、当業者なら容易に諒解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体、またはそれの任意の部分は、キャッシュおよび／または汎用レジスタファイルがそうであり得るように、プロセッサに統合され得る。
【０１４５】
[00146]処理システムは、すべて外部バスアーキテクチャを介して他のサポート回路と互いにリンクされる、プロセッサ機能を提供する１つまたは複数のマイクロプロセッサと、機械可読媒体の少なくとも一部分を提供する外部メモリとをもつ汎用処理システムとして構成され得る。代替的に、処理システムは、プロセッサをもつＡＳＩＣ（特定用途向け集積回路）と、バスインターフェースと、アクセス端末（たとえば、アクセス端末２２０）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明された様々な機能を実行することができる回路の任意の組合せを用いて、実装され得る。当業者は、特定の適用例と、全体的なシステムに課される全体的な設計制約とに応じて、どのようにしたら処理システムについて説明された機能を最も良く実装し得るかを理解されよう。
【０１４６】
[00147]機械可読媒体はいくつかのソフトウェアモジュールを備え得る。ソフトウェアモジュールは、プロセッサによって実行されたとき、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【０１４７】
[00148]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０１４８】
[00149]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１４９】
[00150]さらに、本明細書で説明された方法および技法を実行するためのモジュールおよび／または他の適切な手段は、適用可能な場合にアクセス端末（たとえば、アクセス端末２２０）および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、アクセス端末（たとえば、アクセス端末２２０）および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【０１５０】
[00151]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
【図１】
2020039132.tif 000012
【図２】
2020039132.tif 000013
【図３】
2020039132.tif 000014
【図４Ａ】
2020039132.tif 000015
【図４Ｂ】
2020039132.tif 000016
【図５】
2020039132.tif 000017
【図６】
2020039132.tif 000018
【図７】
2020039132.tif 000019
【図８】
2020039132.tif 000020
【図９】
2020039132.tif 000021
【図１０】
2020039132.tif 000022
【図１１】
2020039132.tif 000023
【図１２】
2020039132.tif 000024
【図１３】
2020039132.tif 000025
【図１４】
2020039132.tif 000026
【図１５】
2020039132.tif 000027
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の部分と第２の部分とを備えるフレームを生成することと、ここにおいて、前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、
複数のチャネル上での送信のために前記フレームの前記第１の部分を出力することと、前記複数のチャネルの各々がそれぞれの中心周波数を有する、
前記複数のチャネルのうちの１つまたは複数の各々の前記中心周波数をシフトすることと、ここにおいて、前記中心周波数シフトの後、前記複数のチャネル中のサブキャリアが、複数の均等に離間された周波数位置を備える周波数グリッド上にあり、前記複数のチャネル中の各サブキャリアは、前記周波数グリッド上の前記複数の周波数位置の各々と整合され、前記複数のチャネルのうちの２つの隣接チャネルのエッジサブキャリア間の間隔はサブキャリア間の間隔の整数倍であり、
ボンディングされたチャネルを形成するために前記複数のチャネルのうちの少なくとも２つのチャネルをボンディングすることと、
前記中心周波数シフトの後に前記複数のチャネル上での送信のために前記フレームの前記第２の部分を出力することと、前記複数のチャネルが、前記ボンディングされたチャネルを含む、
を備える、方法。
【請求項２】
前記複数のチャネルのうちの１つの前記中心周波数が、前記中心周波数シフトの前に前記周波数グリッドの前記周波数位置のうちの１つとすでに整合されている、請求項１に記載の方法。
【請求項３】
ワイヤレス通信のための装置であって、
第１の部分と第２の部分とを備えるフレームを生成すること、ここにおいて、前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、
を行うように構成された処理システムと、
複数のチャネル上での送信のために前記フレームの前記第１の部分を出力すること、前記複数のチャネルの各々がそれぞれの中心周波数を有する、
を行うように構成されたインターフェースと
を備え、ここにおいて、前記処理システムが、
前記複数のチャネルのうちの１つまたは複数の各々の前記中心周波数をシフトすることと、ここにおいて、前記中心周波数シフトの後、前記複数のチャネル中のサブキャリアが、複数の均等に離間された周波数位置を備える周波数グリッド上にあり、前記複数のチャネル中の各サブキャリアは、前記周波数グリッド上の前記複数の周波数位置の各々と整合され、前記複数のチャネルのうちの２つの隣接チャネルのエッジサブキャリア間の間隔はサブキャリア間の間隔の整数倍であり、
ボンディングされたチャネルを形成するために前記複数のチャネルのうちの少なくとも２つをボンディングすることと、
を行うようにさらに構成され、ここにおいて、前記インターフェースが、
前記中心周波数シフトの後に前記複数のチャネル上での送信のために前記フレームの前記第２の部分を出力すること、ここにおいて、前記複数のチャネルが、前記ボンディングされたチャネルを備える、
を行うようにさらに構成される、装置。
【請求項４】
前記複数のチャネルのうちの１つの前記中心周波数が、前記中心周波数シフトの前に前記周波数グリッドの前記周波数位置のうちの１つとすでに整合されている、請求項３に記載の装置。
【手続補正２】
【補正対象書類名】明細書
【補正対象項目名】０１５０
【補正方法】変更
【補正の内容】
【０１５０】
[00151]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
ワイヤレス通信のための方法であって、
第１の部分と第２の部分とを備えるフレームを生成することと、
少なくとも１つのチャネル上での送信のために前記フレームの前記第１の部分を出力することと、
前記少なくとも１つのチャネルの中心周波数をシフトすることと、
前記中心周波数シフトの後に前記少なくとも１つのチャネル上での送信のために前記フレームの前記第２の部分を出力することと
を備える、方法。
［Ｃ２］
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、Ｃ１に記載の方法。
［Ｃ３］
前記フレームの前記第１の部分が、シングルキャリア（ＳＣ）送信モードを使用する送信のために出力され、前記フレームの前記第２の部分が、直交周波数分割多重（ＯＦＤＭ）送信モードを使用する送信のために出力される、Ｃ１に記載の方法。
［Ｃ４］
前記中心周波数シフトがマイナス２．５８ＭＨｚからプラス２．５８ＭＨｚの間である、Ｃ１に記載の方法。
［Ｃ５］
前記少なくとも１つのチャネルが複数のチャネルを備え、前記複数のチャネルの各々がそれぞれの中心周波数を有し、
前記少なくとも１つのチャネルの前記中心周波数をシフトすることが、前記複数のチャネルのうちの１つまたは複数の各々の前記中心周波数をシフトすることを備える、
Ｃ１に記載の方法。
［Ｃ６］
前記中心周波数シフトの後に、前記複数のチャネルの各々の前記中心周波数が周波数グリッドの複数の周波数位置の各々と整合され、ここにおいて、前記周波数グリッドの前記複数の周波数位置がほぼ均等に離間される、Ｃ５に記載の方法。
［Ｃ７］
前記フレームの前記第２の部分が、複数のキャリアを介した前記複数のチャネル上での送信のために出力され、前記複数のキャリアの各々が、前記周波数グリッドの前記複数の周波数位置の各々と整合される、Ｃ６に記載の方法。
［Ｃ８］
前記複数のキャリアが複数の直交周波数分割多重（ＯＦＤＭ）サブキャリアを備える、Ｃ７に記載の方法。
［Ｃ９］
前記複数のチャネルのうちの１つの前記中心周波数が、前記中心周波数シフトの前に前記周波数グリッドの前記周波数位置のうちの１つとすでに整合されている、Ｃ６に記載の方法。
［Ｃ１０］
前記フレームの前記第２の部分が、複数のキャリアを介した前記チャネル上での送信のために出力され、
前記中心周波数シフトの後に、前記チャネルの前記中心周波数間の間隔が、４１８×キャリア間隔、４１９×キャリア間隔、または４２０×キャリア間隔のうちの１つに等しい、
Ｃ５に記載の方法。
［Ｃ１１］
前記キャリア間隔が５．１５６２５ＭＨｚにほぼ等しい、Ｃ１０に記載の方法。
［Ｃ１２］
ワイヤレス通信のための装置であって、
第１の部分と第２の部分とを備えるフレームを生成することと、
少なくとも１つのチャネルの中心周波数をシフトすることと
を行うように構成された処理システムと、
前記中心周波数シフトの前に前記少なくとも１つのチャネル上での送信のために前記フレームの前記第１の部分を出力することと、
前記中心周波数シフトの後に前記少なくとも１つのチャネル上での送信のために前記フレームの前記第２の部分を出力することと
を行うように構成されたインターフェースと
を備える、装置。
［Ｃ１３］
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、Ｃ１２に記載の装置。
［Ｃ１４］
前記フレームの前記第１の部分が、シングルキャリア（ＳＣ）送信モードを使用する送信のために出力され、前記フレームの前記第２の部分が、直交周波数分割多重（ＯＦＤＭ）送信モードを使用する送信のために出力される、Ｃ１２に記載の装置。
［Ｃ１５］
前記中心周波数シフトがマイナス２．５８ＭＨｚからプラス２．５８ＭＨｚの間である、Ｃ１２に記載の装置。
［Ｃ１６］
前記少なくとも１つのチャネルが複数のチャネルを備え、前記複数のチャネルの各々がそれぞれの中心周波数を有し、
前記中心周波数シフトが、前記複数のチャネルのうちの１つまたは複数の各々の前記中心周波数をシフトすることを備える、
Ｃ１２に記載の装置。
［Ｃ１７］
前記中心周波数シフトの後に、前記複数のチャネルの各々の前記中心周波数が周波数グリッドの複数の周波数位置の各々と整合され、ここにおいて、前記周波数グリッドの前記複数の周波数位置がほぼ均等に離間される、Ｃ１６に記載の装置。
［Ｃ１８］
前記フレームの前記第２の部分が、複数のキャリアを介した前記複数のチャネル上での送信のために出力され、前記複数のキャリアの各々が、前記周波数グリッドの前記複数の周波数位置の各々と整合される、Ｃ１７に記載の装置。
［Ｃ１９］
前記複数のキャリアが複数の直交周波数分割多重（ＯＦＤＭ）サブキャリアを備える、Ｃ１８に記載の装置。
［Ｃ２０］
前記複数のチャネルのうちの１つの前記中心周波数が、前記中心周波数シフトの前に前記周波数グリッドの前記周波数位置のうちの１つとすでに整合されている、Ｃ１７に記載の装置。
［Ｃ２１］
前記フレームの前記第２の部分が、複数のキャリアを介した前記チャネル上での送信のために出力され、
前記中心周波数シフトの後に、前記チャネルの前記中心周波数間の間隔が、４１８×キャリア間隔、４１９×キャリア間隔、または４２０×キャリア間隔のうちの１つに等しい、
Ｃ１６に記載の装置。
［Ｃ２２］
前記キャリア間隔が５．１５６２５ＭＨｚにほぼ等しい、Ｃ２１に記載の装置。
［Ｃ２３］
ワイヤレス通信のための装置であって、
第１の部分と第２の部分とを備えるフレームを生成するための手段と、
少なくとも１つのチャネル上での送信のために前記フレームの前記第１の部分を出力するための手段と、
前記少なくとも１つのチャネルの中心周波数をシフトするための手段と、
前記中心周波数シフトの後に前記少なくとも１つのチャネル上での送信のために前記フレームの前記第２の部分を出力するための手段と
を備える、装置。
［Ｃ２４］
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、Ｃ２３に記載の装置。
［Ｃ２５］
前記フレームの前記第１の部分が、シングルキャリア（ＳＣ）送信モードを使用する送信のために出力され、前記フレームの前記第２の部分が、直交周波数分割多重（ＯＦＤＭ）送信モードを使用する送信のために出力される、Ｃ２３に記載の装置。
［Ｃ２６］
前記中心周波数シフトがマイナス２．５８ＭＨｚからプラス２．５８ＭＨｚの間である、Ｃ２３に記載の装置。
［Ｃ２７］
前記少なくとも１つのチャネルが複数のチャネルを備え、前記複数のチャネルの各々がそれぞれの中心周波数を有し、
前記少なくとも１つのチャネルの前記中心周波数をシフトするための前記手段が、前記複数のチャネルのうちの１つまたは複数の各々の前記中心周波数をシフトするための手段を備える、
Ｃ２３に記載の装置。
［Ｃ２８］
前記中心周波数シフトの後に、前記複数のチャネルの各々の前記中心周波数が周波数グリッドの複数の周波数位置の各々と整合され、ここにおいて、前記周波数グリッドの前記複数の周波数位置がほぼ均等に離間される、Ｃ２７に記載の装置。
［Ｃ２９］
前記フレームの前記第２の部分が、複数のキャリアを介した前記複数のチャネル上での送信のために出力され、前記複数のキャリアの各々が、前記周波数グリッドの前記複数の周波数位置の各々と整合される、Ｃ２８に記載の装置。
［Ｃ３０］
前記複数のキャリアが複数の直交周波数分割多重（ＯＦＤＭ）サブキャリアを備える、Ｃ２９に記載の装置。
［Ｃ３１］
前記複数のチャネルのうちの１つの前記中心周波数が、前記中心周波数シフトの前に前記周波数グリッドの前記周波数位置のうちの１つとすでに整合されている、Ｃ２８に記載の装置。
［Ｃ３２］
前記フレームの前記第２の部分が、複数のキャリアを介した前記チャネル上での送信のために出力され、
前記中心周波数シフトの後に、前記チャネルの前記中心周波数間の間隔が、４１８×キャリア間隔、４１９×キャリア間隔、または４２０×キャリア間隔のうちの１つに等しい、
Ｃ２７に記載の装置。
［Ｃ３３］
前記キャリア間隔が５．１５６２５ＭＨｚにほぼ等しい、Ｃ３２に記載の装置。
［Ｃ３４］
第１の部分と第２の部分とを備えるフレームを生成することと、
少なくとも１つのチャネル上での送信のために前記フレームの前記第１の部分を出力することと、
前記少なくとも１つのチャネルの中心周波数をシフトすることと、
前記中心周波数シフトの後に前記少なくとも１つのチャネル上での送信のために前記フレームの前記第２の部分を出力することと
を行うためのその上に記憶された命令を備えるコンピュータ可読媒体。
［Ｃ３５］
少なくとも１つのアンテナと、
第１の部分と第２の部分とを備えるフレームを生成することと、
少なくとも１つのチャネルの中心周波数をシフトすることと
を行うように構成された処理システムと、
前記中心周波数シフトの前に前記少なくとも１つのアンテナを介した前記少なくとも１つのチャネル上での送信のために前記フレームの前記第１の部分を出力することと、    前記中心周波数シフトの後に前記少なくとも１つのアンテナを介した前記少なくとも１つのチャネル上での送信のために前記フレームの前記第２の部分を出力することと
を行うように構成されたインターフェースと
を備える、ワイヤレスノード。
［Ｃ３６］
ワイヤレス通信のための方法であって、
受信機を介して、少なくとも１つのチャネル上でフレームの第１の部分を受信することと、
前記少なくとも１つのチャネルの中心周波数がシフトされた場合、前記受信機の周波数をシフトすることと、
前記受信機周波数シフトの後に、前記受信機を介して、前記少なくとも１つのチャネル上で前記フレームの第２の部分を受信することと、
第１の情報を取得するために、前記フレームの前記受信された第１の部分を処理することと、
第２の情報を取得するために、前記フレームの前記受信された第２の部分を処理することと
を備える、方法。
［Ｃ３７］
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、Ｃ３６に記載の方法。
［Ｃ３８］
前記第１の情報が、チャネル推定値、フレームタイミング情報またはヘッダ情報のうちの少なくとも１つを備え、前記第２の情報が前記データペイロード中のデータを備える、Ｃ３７に記載の方法。
［Ｃ３９］
前記フレームの前記第１の部分が、シングルキャリア（ＳＣ）送信モードを使用して受信され、前記フレームの前記第２の部分が、直交周波数分割多重（ＯＦＤＭ）送信モードを使用して受信される、Ｃ３６に記載の方法。
［Ｃ４０］
前記受信機の前記周波数をシフトすることが、マイナス２．５８ＭＨｚからプラス２．５８ＭＨｚの間で前記受信機の前記周波数をシフトすることを備える、Ｃ３６に記載の方法。
［Ｃ４１］
ワイヤレス通信のための装置であって、
受信機を介して、少なくとも１つのチャネル上でフレームの第１の部分と第２の部分とを受信するように構成されたインターフェースと、
前記フレームの前記第１の部分の受信と前記フレームの前記第２の部分の受信との間で前記少なくとも１つのチャネルの中心周波数がシフトされた場合、前記受信機の周波数をシフトすることと、
第１の情報を取得するために、前記フレームの前記受信された第１の部分を処理することと、
第２の情報を取得するために、前記フレームの前記受信された第２の部分を処理することと
を行うように構成された処理システムと
を備える、装置。
［Ｃ４２］
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、Ｃ４１に記載の装置。
［Ｃ４３］
前記第１の情報が、チャネル推定値、フレームタイミング情報またはヘッダ情報のうちの少なくとも１つを備え、前記第２の情報が前記データペイロード中のデータを備える、Ｃ４２に記載の装置。
［Ｃ４４］
前記フレームの前記第１の部分が、シングルキャリア（ＳＣ）送信モードを使用して受信され、前記フレームの前記第２の部分が、直交周波数分割多重（ＯＦＤＭ）送信モードを使用して受信される、Ｃ４１に記載の装置。
［Ｃ４５］
前記受信機の前記周波数シフトがマイナス２．５８ＭＨｚからプラス２．５８ＭＨｚの間である、Ｃ４１に記載の装置。
［Ｃ４６］
ワイヤレス通信のための装置であって、
少なくとも１つのチャネル上でフレームの第１の部分を受信するための手段と、
前記少なくとも１つのチャネルの中心周波数がシフトされた場合、前記装置の受信機周波数をシフトするための手段と、
前記受信機周波数シフトの後に、前記少なくとも１つのチャネル上で前記フレームの第２の部分を受信するための手段と、
第１の情報を取得するために、前記フレームの前記受信された第１の部分を処理するための手段と、
第２の情報を取得するために、前記フレームの前記受信された第２の部分を処理するための手段と
を備える、装置。
［Ｃ４７］
前記フレームの前記第１の部分が、ショートトレーニングフィールド（ＳＴＦ）、チャネル推定シーケンス（ＣＥＳ）またはヘッダのうちの少なくとも１つを備え、前記フレームの前記第２の部分がデータペイロードを備える、Ｃ４６に記載の装置。
［Ｃ４８］
前記第１の情報が、チャネル推定値、フレームタイミング情報またはヘッダ情報のうちの少なくとも１つを備え、前記第２の情報が前記データペイロード中のデータを備える、Ｃ４７に記載の装置。
［Ｃ４９］
前記フレームの前記第１の部分が、シングルキャリア（ＳＣ）送信モードを使用して受信され、前記フレームの前記第２の部分が、直交周波数分割多重（ＯＦＤＭ）送信モードを使用して受信される、Ｃ４６に記載の装置。
［Ｃ５０］
前記受信機周波数シフトがマイナス２．５８ＭＨｚからプラス２．５８ＭＨｚの間である、Ｃ４６に記載の装置。
［Ｃ５１］
受信機を介して、少なくとも１つのチャネル上でフレームの第１の部分を受信することと、
前記少なくとも１つのチャネルの中心周波数がシフトされた場合、前記受信機の周波数をシフトすることと、
前記受信機周波数シフトの後に、前記受信機を介して、前記少なくとも１つのチャネル上で前記フレームの第２の部分を受信することと、
第１の情報を取得するために、前記フレームの前記受信された第１の部分を処理することと、
第２の情報を取得するために、前記フレームの前記受信された第２の部分を処理することと
を行うためのその上に記憶された命令を備えるコンピュータ可読媒体。
［Ｃ５２］
少なくとも１つのアンテナと、
前記少なくとも１つのアンテナを介して、少なくとも１つのチャネル上でフレームの第１の部分と第２の部分とを受信するように構成された受信機と、
前記フレームの前記第１の部分の受信と前記フレームの前記第２の部分の受信との間で前記少なくとも１つのチャネルの中心周波数がシフトされた場合、前記受信機の周波数をシフトすることと、
第１の情報を取得するために、前記フレームの前記受信された第１の部分を処理することと、
第２の情報を取得するために、前記フレームの前記受信された第２の部分を処理することと
を行うように構成された処理システムと
を備える、ワイヤレスノード。
【外国語明細書】
2020039132000001.pdf